(57)【要約】【課題】強風に耐え、掃除、植栽、或いは蔓性植物の手入れ等の作業性の向上を図る。【解決手段】構造物の屋上面１００に、上面部２２に凸部２３が取り付けられた接続金具２を間隔を隔てて複数配置して列を形成し、接続金具２の列の上に第一網部５１を配置し、第一網部５１を介して、接続金具２の列の上に長尺材３を載置し、長尺材３を介して接続金具２の凸部２３に第二網部５２を配置し、対向する、第一網部５１と第二網部５２とからなる二層構造の網部５を形成し、二層構造の網部５、５同士の間の接続金具２の凸部２４に載置された長尺材３に対向する長尺材３、３の間に、植栽基盤１を複数載置し、二列の隣接した植栽基盤１の列を形成し、二層構造の網部５、５が二列の隣接した植栽基盤１の列を挟み込み、二列の隣接した植栽基盤１の列同士の間に第三押え材８を配置して二列の隣接した植栽基盤１の列同士を連結する、植栽基盤を用いた緑化構造を提供する。【選択図】図１１
2011000094.tif 000002
【特許請求の範囲】
【請求項１】
構造物に配置された、植栽基盤に連結された二層構造の網部を備えた、植栽基盤を用いた緑化構造において、
前記構造物の屋上面に、間隔を隔てて複数配置することで列を形成し、対向する前記列同士では、各々対向し、前記構造物の屋上面側の上面部に凸部が取り付けられた接続金具と、
対向する、前記接続金具の列の上に配置されることで、前記接続金具の列側の網目が前記接続金具の凸部を通り、前記接続金具の上面部に載置されることで配置され、前記二層構造の網部を形成する、前記構造物の屋上面に沿う方向に設けた第一網部と、
前記第一網部を介して、前記接続金具の列の上に載置された底面部と、該底面部と連続して前記底面部から隆起した突出部とを備え、前記底面部が前記接続金具の列の上に載置されると前記接続金具の凸部が前記突出部の先端に形成された孔部より突き出る、前記接続金具の列の長手方向に沿って伸びた長尺材と、
対向する、前記長尺材の前記突出部に形成された前記孔部より突き出た、前記接続金具の凸部には、前記接続金具の凸部側の網目が前記接続金具の凸部を通り、前記長尺材の先端に載置されることで配置され、前記第一網部と対向して前記第一網部との間に空間を形成して、前記二層構造の網部を形成する、前記構造物の屋上面に沿う方向に設けた、前記第一網部より網目が大きい第二網部と、
対向する前記長尺材の、前記第一網部及び前記第二網部が配置された、前記突出部と前記底面部とでなす角部とは反対側の角部と、対向する前記長尺材の間の前記長尺材の、前記突出部と前記底面部とでなす角部との間に、前記植栽基盤が複数載置されることで、対向する前記長尺材の間の前記長尺材を挟み込んで配置された二列の隣接した植栽基盤の列と、備え、
二列の隣接した前記植栽基盤の列同士の間で、前記植栽基盤の側面部同士に挟み込まれ、水平方向に前記植栽基盤の列の長手方向に沿って形成された底面部と、
前記底面部に連続して、二列の隣接した前記植栽基盤の列同士の上面部に載置され、前記植栽基盤の列の長手方向に形成された平面部と、
前記底面部に設けられた、前記長尺材の突出部の先端から前記接続金具の凸部の先端側が突き出た孔部と、を備える第三押え材が配置されていることを特徴とする植栽基盤を用いた緑化構造。
【請求項２】
構造物に配置された、植栽基盤に連結された二層構造の網部を備えた、植栽基盤を用いた緑化構造において、
前記構造物の屋上面に、間隔を隔てて複数配置することで列を形成し、対向する前記列同士では、各々対向し、前記構造物の屋上面側の上面部に凸部が取り付けられた接続金具と、
対向する、前記接続金具の列の上に配置されることで、前記接続金具の列側の網目が前記接続金具の凸部を通り、前記接続金具の上面部に載置されることで配置され、前記二層構造の網部を形成する、前記構造物の屋上面に沿う方向に設けた第一網部と、
前記第一網部を介して、前記接続金具の列の上に載置された底面部と、該底面部と連続して前記底面部から隆起した突出部とを備え、前記底面部が前記接続金具の列の上に載置されると前記接続金具の凸部が前記突出部の先端に形成された孔部より突き出る、前記接続金具の列の長手方向に沿って伸びた長尺材と、
対向する、前記長尺材の前記突出部に形成された前記孔部より突き出た、前記接続金具の凸部には、前記接続金具の凸部側の網目が前記接続金具の凸部を通り、前記長尺材の先端に載置されることで配置され、前記第一網部と対向して前記第一網部との間に空間を形成して、前記二層構造の網部を形成する、前記構造物の屋上面に沿う方向に設けた、前記第一網部より網目が大きい第二網部と、
対向する前記長尺材の一方の前記長尺材の、前記第一網部及び前記第二網部が配置された、前記突出部と前記底面部とでなす角部とは反対側の角部と、その反対側の角部と対向する、前記第一網部及び前記第二網部が配置されていない他方の前記長尺材の、前記突出部と前記底面部とでなす角部と、対向する前記長尺材の間の前記長尺材の、前記突出部と前記底面部とでなす角部との間に、前記植栽基盤が複数載置されることで、対向する前記長尺材の間の前記長尺材を挟み込んで配置された二列の隣接した植栽基盤の列と、備え、
二列の隣接した前記植栽基盤の列同士の間で、前記植栽基盤の側面部同士に挟み込まれ、水平方向に前記植栽基盤の列の長手方向に沿って形成された底面部と、
前記底面部に連続して、二列の隣接した前記植栽基盤の列同士の上面部に載置され、前記植栽基盤の列の長手方向に形成された平面部と、
前記底面部に設けられた、前記長尺材の突出部の先端から前記接続金具の凸部の先端側が突き出た孔部と、を備える第三押え材が配置されていることを特徴とする植栽基盤を用いた緑化構造。
【請求項３】
前記第一網部と前記第二網部との間に形成された前記空間内で、前記第一網部に対向するとともに前記第二網部に対向し、前記第二網部に着脱可能に取り付けられ、
前記第一網部及び前記第二網部に対向して、前記長尺材の長手方向に沿う方向に設けられた縦糸と、
前記第一網部及び前記第二網部に対向して、前記縦糸と交差して設けられた、前記縦糸より折り曲げ強度がある横糸と、
前記長尺材の長手方向に沿う端部側に取り付けられ、前記長尺材の長手方向に沿う方向に引っ張ることで、前記第一網部及び前記第二網部に対して移動させる引戻し紐と、を備える第一掃除用網を備えることを特徴とする請求項１又は２に記載の植栽基盤を用いた緑化構造。
【請求項４】
前記第二網部は、対向する、前記長尺材の先端より突き出た、前記接続金具の凸部の列には、前記接続金具の凸部側の網目が前記接続金具の凸部の列を通り、前記長尺材の先端側に載置され、前記接続金具の凸部の列方向に沿って、複数配置されることで前記第一網部と対向して前記第一網部との間に前記空間を形成して、前記構造物の屋上面に沿う方向に設けた複数の第二網片からなり、
前記第一網部と、前記第一網部と対向して設けられた前記第二網部との間に、前記第二網片に対向して重なり合うように、前記第二網片に着脱可能に取り付けられ、
前記第一網部及び前記第二網部に対向して、前記長尺材の長手方向に沿うように設けられた縦糸と、
前記第一網部及び前記第二網部に対向して、前記縦糸と交差して設けられた、前記縦糸より折り曲げ強度がある横糸と、を備える第二掃除用網を備えることを特徴する請求項１又は２に記載の植栽基盤を用いた緑化構造。
【請求項５】
前記第一網部と対向して、接続金具の凸部の列方向に沿って、複数の前記第二網片が配置されることで前記第一網部との間に前記空間を形成して、複数の前記第二網片が前記構造物の前記屋上面に沿う方向に設けられ、隣り合う前記第二網片同士の間には隙間が設けられ、前記隙間には、前記第二網片に着脱可能に取り付けられた前記第二掃除用網の、前記長尺材の長手方向に沿う、端部が出ていることを特徴とする請求項４に記載の植栽基盤を用いた緑化構造。
【発明の詳細な説明】
【技術分野】
【０００１】
本発明は、蔓性植物により構造物の屋上を緑化するとともに、構造物の、緑化された屋上の管理を可能にする植栽基盤を用いた緑化構造に関する。
【背景技術】
【０００２】
構造物の屋上等の緑化を図り、構造物の、緑化された屋上の管理を可能する技術として、図３９に示す、植物栽培用パネル部材と植物栽培装置の技術が開示されている。ここでは、植物を保持させることができる略格子状又は略網目状のパネル２０６と、パネル２０６の一方の面側に設けられた脚部２０８とを備え、パネル２０６が折り曲げ可能な植物栽培用パネル部材２０４とからなり、植物栽培用パネル部材２０４と植物栽培用プランター２１２を共に使用している。そして、植物栽培装置を建築物の屋上に連続して設置すれば面的な屋上緑化が可能になり、パネル体２０６を折り曲げれば作業用通路又は作業空間が容易に創出することが可能になり、作業効率が良くなるだけではなく、屋上一面を緑化することが可能になる。つまり、パネル体２０６を折り曲げることにより植物をどの角度でも保持することができ、また、パネルを折り曲げるだけで作業空間を創出することができ、パネル部材の下の掃除を可能にしている。
【先行技術文献】
【特許文献】
【０００３】
【特許文献１】特開２００４−０９７１４４（段落００２９、段落００４３、段落００４５、段落００４６、図３）
【発明の概要】
【発明が解決しようとする課題】
【０００４】
しかしながら、屋上は地上より風が強いので、強風に耐える構造でなくてはならないが、図３９に示す技術では、網目の大きい一層網であるパネル２０６を折り曲げる構造であり、強風による固定方法がないため強風に耐えることが難しい。また、掃除、植栽、或いは蔓性植物の手入れ等のための作業用通路と作業空間を創出するためにパネル２０６を折り曲げる作業を必要とするので、掃除、植栽、或いは蔓性植物の手入れ等の作業効率の向上が望み難い。
【０００５】
本発明は、上記の事情に鑑みなされたものであり、強風に耐え、掃除、植栽、或いは蔓性植物の手入れ等の作業効率の向上を図るとともに、簡易な構造で施工を容易し、蔓性植物に対する放射熱対策を講じた植栽基盤を用いた緑化構造を提供することを目的とする。
【課題を解決するための手段】
【０００６】
上記の目的を達成するために、請求項１に記載の発明は、構造物に配置された、植栽基盤に連結された二層構造の網部を備えた、植栽基盤を用いた緑化構造において、前記構造物の屋上面に、間隔を隔てて複数配置することで列を形成し、対向する前記列同士では、各々対向し、前記構造物の屋上面側の上面部に凸部が取り付けられた接続金具と、対向する、前記接続金具の列の上に配置されることで、前記接続金具の列側の網目が前記接続金具の凸部を通り、前記接続金具の上面部に載置されることで配置され、前記二層構造の網部を形成する、前記構造物の屋上面に沿う方向に設けた第一網部と、前記第一網部を介して、前記接続金具の列の上に載置された底面部と、該底面部と連続して前記底面部から隆起した突出部とを備え、前記底面部が前記接続金具の列の上に載置されると前記接続金具の凸部が前記突出部の先端に形成された孔部より突き出る、前記接続金具の列の長手方向に沿って伸びた長尺材と、対向する、前記長尺材の前記突出部に形成された前記孔部より突き出た、前記接続金具の凸部には、前記接続金具の凸部側の網目が前記接続金具の凸部を通り、前記長尺材の先端に載置されることで配置され、前記第一網部と対向して前記第一網部との間に空間を形成して、前記二層構造の網部を形成する、前記構造物の屋上面に沿う方向に設けた、前記第一網部より網目が大きい第二網部と、対向する前記長尺材の、前記第一網部及び前記第二網部が配置された、前記突出部と前記底面部とでなす角部とは反対側の角部と、対向する前記長尺材の間の前記長尺材の、前記突出部と前記底面部とでなす角部との間に、前記植栽基盤が複数載置されることで、対向する前記長尺材の間の前記長尺材を挟み込んで配置された二列の隣接した植栽基盤の列と、備え、二列の隣接した前記植栽基盤の列同士の間で、前記植栽基盤の側面部同士に挟み込まれ、水平方向に前記植栽基盤の列の長手方向に沿って形成された底面部と、前記底面部に連続して、二列の隣接した前記植栽基盤の列同士の上面部に載置され、前記植栽基盤の列の長手方向に形成された平面部と、前記底面部に設けられた、前記長尺材の突出部の先端から前記接続金具の凸部の先端側が突き出た孔部と、を備える第三押え材が配置されていることを特徴とする。
【０００７】
従って、請求項１に記載の発明によれば、構造物の屋上面に、上面部に凸部が取り付けられた接続金具を間隔を隔てて複数配置することで列を形成し、対向する列同士では、接続金具同士が対向しており、対向する、接続金具の列の上に第一網部である下網部を配置して、第一網部を構造物の屋上面に沿う方向に設け、第一網部を介して、接続金具の列の上に長尺材の底面部を載置して接続金具の凸部が長尺材の突出部の先端の孔部より突き出して、その突き出た、接続金具の凸部に、第二網部である上網部の網目を通し、長尺材の先端に第二網部を載置することで、第二網部を構造物の屋上面に沿う方向に設け、第一網部と対向して第一網部との間に空間を形成し、長尺材の、第一網部及び第二網部が配置された、突出部と底面部とでなす角部とは反対側の角部と、対向する長尺材の間の長尺材の、突出部と底面部とでなす角部との間に、植栽基盤が複数載置されて、対向する長尺材の間の長尺材を挟み込んで二列の隣接した植栽基盤の列が配置され、二列の隣接した植栽基盤の列同士の間に第三押え材が配置されることで、第三押え材の平面部が植栽基盤の列の長手方向に沿って二列の隣接した植栽基盤の列同士の上面部に載置され、第三押え材の底面部は二列の隣接した植栽基盤の側面部同士の間に挟み込まれて水平方向に植栽基盤の列の長手方向に沿って伸び、第三押え材の底面部に設けられた孔部から突き出た接続金具の凸部を固定部材等により固定するという、構造物の屋上面に固定して配置された接続金具を基礎とする構造であるため強風に耐えることが可能であるとともに、第三押え材を二列の隣接した植栽基盤の列に沿う通路とすることが可能になるので、掃除、植栽、或いは蔓性植物の手入れ等を効率よく行うことが可能になる。
【０００８】
また、請求項１に記載の発明によれば、対向する前記長尺材の、前記第一網部及び前記第二網部が配置された、前記突出部と前記底面部とでなす角部とは反対側の角部と、対向する前記長尺材の間の前記長尺材の、前記突出部と前記底面部とでなす角部との間に、前記植栽基盤が複数載置されることで、対向する前記長尺材の間の前記長尺材を挟み込んで配置された二列の隣接した植栽基盤の列と、という構成をとっているため、対向する長尺材の間の長尺材を挟み込んで二列の隣接した植栽基盤の列の、対向する長尺材側に二層構造の網部が配置されることで、二層構造の網部が長尺材の長手方向に沿って二列に隣接して並んだ植栽基盤の列を水平方向より挟み込むという構成であり、長尺材の長手方向に沿って二列に隣接して並んだ植栽基盤の列の両側から挟み込むように配置することで第三押え材を通路として用いて二層構造の網部へ繁茂する蔓性植物の手入れ等を可能にする。
【０００９】
また、請求項２に記載の発明は、構造物に配置された、植栽基盤に連結された二層構造の網部を備えた、植栽基盤を用いた緑化構造において、前記構造物の屋上面に、間隔を隔てて複数配置することで列を形成し、対向する前記列同士では、各々対向し、前記構造物の屋上面側の上面部に凸部が取り付けられた接続金具と、対向する、前記接続金具の列の上に配置されることで、前記接続金具の列側の網目が前記接続金具の凸部を通り、前記接続金具の上面部に載置されることで配置され、前記二層構造の網部を形成する、前記構造物の屋上面に沿う方向に設けた第一網部と、前記第一網部を介して、前記接続金具の列の上に載置された底面部と、該底面部と連続して前記底面部から隆起した突出部とを備え、前記底面部が前記接続金具の列の上に載置されると前記接続金具の凸部が前記突出部の先端に形成された孔部より突き出る、前記接続金具の列の長手方向に沿って伸びた長尺材と、対向する、前記長尺材の前記突出部に形成された前記孔部より突き出た、前記接続金具の凸部には、前記接続金具の凸部側の網目が前記接続金具の凸部を通り、前記長尺材の先端に載置されることで配置され、前記第一網部と対向して前記第一網部との間に空間を形成して、前記二層構造の網部を形成する、前記構造物の屋上面に沿う方向に設けた、前記第一網部より網目が大きい第二網部と、対向する前記長尺材の一方の前記長尺材の、前記第一網部及び前記第二網部が配置された、前記突出部と前記底面部とでなす角部とは反対側の角部と、その反対側の角部と対向する、前記第一網部及び前記第二網部が配置されていない他方の前記長尺材の、前記突出部と前記底面部とでなす角部と、対向する前記長尺材の間の前記長尺材の、前記突出部と前記底面部とでなす角部との間に、前記植栽基盤が複数載置されることで、対向する前記長尺材の間の前記長尺材を挟み込んで配置された二列の隣接した植栽基盤の列と、備え、二列の隣接した前記植栽基盤の列同士の間で、前記植栽基盤の側面部同士に挟み込まれ、水平方向に前記植栽基盤の列の長手方向に沿って形成された底面部と、前記底面部に連続して、二列の隣接した前記植栽基盤の列同士の上面部に載置され、前記植栽基盤の列の長手方向に形成された平面部と、前記底面部に設けられた、前記長尺材の突出部の先端から前記接続金具の凸部の先端側が突き出た孔部と、を備える第三押え材が配置されていることを特徴とする。
【００１０】
従って、請求項２に記載の発明によれば、構造物の屋上面に、上面部に凸部が取り付けられた接続金具を間隔を隔てて複数配置することで列を形成し、対向する列同士では、接続金具同士が対向しており、対向する、接続金具の列の上に第一網部である下網部を配置して、第一網部を構造物の屋上面に沿う方向に設け、第一網部を介して、接続金具の列の上に長尺材の底面部を載置して接続金具の凸部が長尺材の突出部の先端の孔部より突き出して、その突き出た、接続金具の凸部に、第二網部である上網部の網目を通し、長尺材の先端に第二網部を載置することで、第二網部を構造物の屋上面に沿う方向に設け、第一網部と対向して第一網部との間に空間を形成し、対向する長尺材の一方の長尺材の、第一網部及び第二網部が配置された、突出部と底面部とでなす角部とは反対側の角部と、その反対側の角部と対向する、第一網部及び第二網部が配置されていない他方の長尺材の、突出部と底面部とでなす角部と、対向する長尺材の間の長尺材の、突出部と底面部とでなす角部との間に、植栽基盤が複数載置されて、対向する長尺材の間の長尺材を挟み込んで二列の隣接した植栽基盤の列が配置され、二列の隣接した植栽基盤の列同士の間に第三押え材が配置されることで、第三押え材の平面部が植栽基盤の列の長手方向に沿って二列の隣接した植栽基盤の列同士の上面部に載置され、第三押え材の底面部は二列の隣接した植栽基盤の側面部同士の間に挟み込まれて水平方向に植栽基盤の列の長手方向に沿って伸び、第三押え材の底面部に設けられた孔部から突き出た接続金具の凸部を固定部材等により固定するという、構造物の屋上面に固定して配置された接続金具を基礎とする構造であるため強風に耐えることが可能であるとともに、第三押え材を二列の隣接した植栽基盤の列に沿う通路とすることが可能になるので、掃除、植栽、或いは蔓性植物の手入れ等を効率よく行うことが可能になる。
【００１１】
また、請求項２に記載の発明によれば、対向する前記長尺材の一方の前記長尺材の、前記第一網部及び前記第二網部が配置された、前記突出部と前記底面部とでなす角部とは反対側の角部と、その反対側の角部と対向する、前記第一網部及び前記第二網部が配置されていない他方の前記長尺材の、前記突出部と前記底面部とでなす角部と、対向する前記長尺材の間の前記長尺材の、前記突出部と前記底面部とでなす角部との間に、前記植栽基盤が複数載置されることで、対向する前記長尺材の間の前記長尺材を挟み込んで配置された二列の隣接した植栽基盤の列と、という構成をとっているため、対向する長尺材の間の長尺材を挟み込んで二列の隣接した植栽基盤の列の、対向する長尺材の一方の長尺材側には二層構造の網部が配置され、他方の長尺材側には二層構造の網部を配置せず、二層構造の網部を長尺材の長手方向に沿って二列に隣接して並んだ植栽基盤の列に対して片側から水平方向より配置することで第三押え材を通路として用いて二列の隣接した植栽基盤の列の片側に配置された二層構造の網部へ繁茂する蔓性植物の手入れ等を可能にする。
【００１２】
また、請求項３に記載の発明は、請求項１又は２に記載の構成に加え、前記第一網部と前記第二網部との間に形成された前記空間内で、前記第一網部に対向するとともに前記第二網部に対向し、前記第二網部に着脱可能に取り付けられ、前記第一網部及び前記第二網部に対向して、前記長尺材の長手方向に沿う方向に設けられた縦糸と、前記第一網部及び前記第二網部に対向して、前記縦糸と交差して設けられた、前記縦糸より折り曲げ強度がある横糸と、前記長尺材の長手方向に沿う端部側に取り付けられ、前記長尺材の長手方向に沿う方向に引っ張ることで、前記第一網部及び前記第二網部に対して移動させる引戻し紐と、を備える第一掃除用網を備えることを特徴とする。
【００１３】
従って、請求項３に記載の発明によれば、第一網部と第二網部との大きさと等しい大きさの第一掃除用網を第一網部と第二網部との形成された空間内に、第一網部に対向するとともに第二網部に対向し、第二網部に第一掃除用網が着脱可能に取り付けると、第一掃除用網の、第一網部及び第二網部に対向して、長尺材の長手方向に沿うように設けられた縦糸より、縦糸と交差して設けられた横糸の方が折り曲げ強度が高いため、第一網部と第二網部との形成された空間内に風が吹き込んでも第一掃除用網が第一網部からめくれることを防止することが可能になり、第一網部上に第一掃除用網がない部分をなくすことを可能にして第一網部上の掃除を可能にする。また、第一掃除用網の、長尺材の長手方向に沿う端部側に引戻し紐が取り付けられているため、第一掃除用網を長尺材の長手方向に沿って移動して第一網部と第二網部との形成された空間内から出して第一掃除用網上に載った枯葉等のごみを取り除いた後に、引戻し紐を長尺材の長手方向に沿う方向に引っ張ることで、第一掃除用網を第一網部と第二網部との形成された空間内へ再び移動させることが可能になる。
【００１４】
さらに、請求項４に記載の発明は、請求項１又は２に記載の構成に加え、前記第二網部は、対向する、前記長尺材の先端より突き出た、前記接続金具の凸部の列には、前記接続金具の凸部側の網目が前記接続金具の凸部の列を通り、前記長尺材の先端側に載置され、前記接続金具の凸部の列方向に沿って、複数配置されることで前記第一網部と対向して前記第一網部との間に前記空間を形成して、前記構造物の屋上面に沿う方向に設けた複数の第二網片からなり、前記第一網部と、前記第一網部と対向して設けられた前記第二網部との間に、前記第二網片に対向して重なり合うように、前記第二網片に着脱可能に取り付けられ、前記第一網部及び前記第二網部に対向して、前記長尺材の長手方向に沿うように設けられた縦糸と、前記第一網部及び前記第二網部に対向して、前記縦糸と交差して設けられた、前記縦糸より折り曲げ強度がある横糸と、を備える第二掃除用網を備えることを特徴する。
【００１５】
従って、請求項４に記載の発明によれば、複数の第二網片（小型の上網片）が第二網部をなしており、対向する、長尺材の突出部の先端の孔部より突き出た、接続金具の凸部の列には、第二網片の接続金具の凸部側の網目を通し、第二網部である第二網部の第二網片の接続金具の凸部側の網目は長尺材の突出部の先端側に載置され、接続金具の凸部の列方向に沿って、第二網片が複数配置されることで第一網部と対向して第一網部との間に空間を形成して、構造物の屋上面に沿う方向に第二網部が配置され、第一網部と第二網部との間に、第二掃除用網が第二網片に対向して重なり合うように第二網片に着脱可能に設けられおり、第二網部を通り抜けた枯葉、落ち葉及びゴミ等を第二掃除用網で受けて、第二掃除用網を第一網部と第二網部との間から取り出すことにより、掃除の作業性を向上させることが可能になる。
【００１６】
また、第二掃除用網は、第一掃除用網と同様に、第二網部に第二掃除用網が着脱可能に取り付けられ、第二掃除用網の、第一網部及び第二網部に対向して、長尺材の長手方向に沿うように設けられた縦糸より、縦糸と交差して設けられた横糸の方が折り曲げ強度が高いため、第一網部と第二網部との形成された空間内に風が吹き込んでも第二掃除用網が第一網部からめくれることを防止することが可能になり、第一網部上に第二掃除用網がない部分をなくすことを可能にし第一網部上の掃除を可能にする。
【００１７】
また、請求項５に記載の発明は、請求項４に記載の構成に加え、前記第一網部と対向して、接続金具の凸部の列方向に沿って、複数の前記第二網片が配置されることで前記第一網部との間に前記空間を形成して、複数の前記第二網片が前記構造物の前記屋上面に沿う方向に設けられ、隣り合う前記第二網片同士の間には隙間が設けられ、前記隙間には、前記第二網片に着脱可能に取り付けられた前記第二掃除用網の、前記長尺材の長手方向に沿う、端部が出ていることを特徴とする。
【００１８】
従って、請求項５に記載の発明によれば、第一網部と対向して、接続金具の凸部の列方向に沿って、接続金具の凸部の列に複数の前記第二網片が配置されて第一網部との間に空間を形成して、複数の前記第二網片が前記構造物の前記屋上面に沿う方向に設けられ、隣り合う第二網片同士の間に隙間が設けられて、隙間に第二掃除用網の、長尺材の長手方向に沿う、一方の端部が出ているため、隙間の間に出ている第二掃除用網の、長尺材の長手方向に沿う、一方の端部を引っ張ることで容易に第二掃除用網を第一網部と第二網部との間から引き出して取り出すことが可能になり掃除の作業性の向上に資することが可能になる。
【発明の効果】
【００１９】
本発明によれば、構造物の屋上面に接続金具を固定することで配置して、接続金具を基礎にして二層構造の網部を設けているため強風に耐え易い構造になっている。また、構造物の屋上面に配置した、二層構造の網部を形成した植栽基盤の列同士の間に第三押え材を設けることで、構造物の屋上面に配置した二層構造の網部内の通路とすることができ、掃除、植栽、或いは蔓性植物の手入れ等に際して二層構造の網部上、或いは植栽基盤上を通過することなく、第三押え材である通路を使用することで掃除、植栽、或いは蔓性植物の手入れ等が必要な二層構造の網部の箇所へ行くことができる。例えば、蔓性植物が育っていない植栽基盤の植栽ポットを取り替える等の作業を、二層構造の網部上、或いは植栽基盤上を歩かなくても行うことができる。
【００２０】
特に、植栽基盤同士の間には通路が設けられているので、掃除、植栽、或いは蔓性植物の手入れ等が行い易くなる。つまり、通路を設けることで掃除、植栽、或いは蔓性植物の手入れ等の際に、植栽基盤上を歩くことがなくなるため、植栽基盤が人の荷重により破損し難くなる。
【００２１】
さらに、掃除用網の縦糸（長尺材の長手方向に沿う糸）より横糸（縦糸と交差する糸）は折れ曲がり難い素材を用いているため、風が吹いても掃除用網がめくり上がり下網部の上に掃除用網がない部分が発生し難くなり、従来必要とされていためくり上がり防止のために掃除用網の端部側の縁部を固定する固定具（例えば、針金、紐、クリップ等）が必要なくなり、掃除用網を配置したり、掃除の際に掃除用網を外したりする際の煩雑さを防止することができる。
【図面の簡単な説明】
【００２２】
【図１】本発明の例１である植栽基盤の列同士の間に二層構造の網部を設ける構造を示す説明図である。
【図２】本発明で用いる接続金具の説明図である。（ａ）は、本発明で用いる接続金具を正面方向から示す説明図である。（ｂ）は、構造物の屋上面への接続金具の固定方法の一例を示す説明図である。（ｃ）は、構造物の屋上面への接続金具の固定方法の他の例を示す説明図である。
【図３】図１における二層構造の網部の近傍を詳細に示す説明図である。
【図４】本発明で用いる長尺材の説明図である。（ａ）は、長尺材を正面方向から示す説明図である。（ｂ）は、長尺材の長手方向を長尺材の上方より示す説明図である。
【図５】植栽基盤と長尺材を配置した接続金具側の連結を示す説明図である。（ａ）は、植栽基盤と長尺材を配置した接続金具側との連結を示す説明図である。（ｂ）は、植栽基盤と、二層構造の網部を支持する、長尺材を配置した接続金具側との連結を示す説明図である。
【図６】本発明で用いる植栽基盤の説明図である。（ａ）は、植栽基盤の上面部を示す説明図である。（ｂ）は、植栽基盤の側方方向から示す説明図である。
【図７】第一押え材の説明図である。（ａ）は、第一押え材の正面方向から示す説明図である。（ｂ）は、第一押え材の長手方向を第一押え材の上方より示す説明図である。
【図８】第二押え材の説明図である。（ａ）は、第二押え材の正面方向から示す説明図である。（ｂ）は、第二押え材の長手方向を第二押え材の上方より示す説明図である。
【図９】第一掃除用網を配置した二層構造の網部を示す説明図である。（ａ）は、二層構造の網部内の空間内で下網部と上網部との間に第一掃除用網が配置された状態を示す説明図である。（ｂ）は、上網部の縁部側と対向する第一掃除用網の縁部側との複数箇所で上網部の縁部側と第一掃除用網の縁部側を固定している固定位置を示す説明図である。
【図１０】二層構造の網部内に配置された第一掃除用網を示す説明図である。（ａ）は、二層構造の網部内で、上網部の縁部側と対向する第一掃除用網の縁部側を上網部の縁部側に固定することで配置した状態を示す説明図である。（ｂ）は、第一掃除用網の他方の端部の、縁部側に取り付けられた引戻し紐を示す説明図である。
【図１１】二層構造の網部により挟み込まれた二列に隣接して並んだ植栽基盤の列同士の間に通路材を設ける構造の全体を示す説明図である。
【図１２】二層構造の網部により挟み込まれた二列に隣接して並んだ植栽基盤の列同士の間に通路材を設ける構造を示す説明図である。（ａ）は、二列に隣接して並んだ植栽基盤の列同士の間に通路材を設けて植栽基盤の列同士を連結する構造を正面方向から示す説明図である。（ｂ）は、（ａ）における二列に隣接して並んだ植栽基盤の列同士の間に通路材近傍の詳細を示す説明図である。
【図１３】第三押え材の説明図である。（ａ）は、第三押え材の正面方向から示す説明図である。（ｂ）は、第三押え材の長手方向を第三押え材の上方より示す説明図である。
【図１４】通路材を設けた、二列に隣接して並んだ植栽基盤の列同士を挟み込んだ二層構造の網部内に掃除用網を設けた構造の全体を示す説明図である。
【図１５】通路材を設けた、二列に隣接して並んだ植栽基盤の列同士を挟み込んだ二層構造の網部内での第一掃除用網の配置を示す説明図である。（ａ）は、第一掃除用網と上網部とが対向し、上網部に第一掃除用網が固定される固定位置を示す説明図である。（ｂ）は、二列に隣接して並んだ植栽基盤の列同士を挟み込んだ二層構造の網部内の第一掃除用網が上網部に固定される固定位置を示す説明図である。
【図１６】通路材を設けた、二列に隣接して並んだ植栽基盤の列同士を挟み込んだ二層構造の網部内での第二掃除用網の配置を示す説明図である。（ａ）は、第一掃除用網と上網片とが対向し、隣り合う第二網片同士の間に設けられた隙間に第二掃除用網の一方の端部が出ることを示す説明図である。（ｂ）は、二列に隣接して並んだ植栽基盤の列同士を挟み込んだ二層構造の網部内の第二掃除用網が上網部に固定される固定位置を示す説明図である。
【図１７】二列に隣接して並んだ植栽基盤の列の一方の側に二層構造の網部が設け、二列に隣接して並んだ植栽基盤の列同士の間に通路材を設ける構造の全体を示す説明図である。
【図１８】図１７に示す二層構造の網部内に掃除用網を設けた構造を示す説明図である。
【図１９】図１８に示す二層構造の網部内での第一掃除用網の配置を示す説明図である。（ａ）は、第一掃除用網と上網部とが対向し、上網部に第一掃除用網が固定される固定位置を示す説明図である。（ｂ）は、二層構造の網部内の第一掃除用網が上網部に固定される固定位置を示す説明図である。
【図２０】図１８において、小型の上網片の列である上網部と下網部とからなる二層構造の網部を形成し、小型の上網片の列である上網部と下網部との間に複数の掃除用網を配置した構造を示す説明図である。（ａ）は、小型の上網片の列である上網部と下網部とからなる二層構造の網部を形成し、小型の上網片の列と掃除用網の列とを重ね合わせて配置した構造を上方より示す説明図である。（ｂ）は、（ａ）における小型の上網片と掃除用網との連結した状態を示す説明図である。
【図２１】二列に隣接して並んだ植栽基盤の列同士の間に二層構造の網部内にスペーサー及び掃除用網を設ける構造を示す説明図である。（ａ）は、二列に隣接して並んだ植栽基盤の列同士の間に二層構造の網部内にスペーサー及び掃除用網を設ける構造を正面方向から示す説明図である。（ｂ）は、（ａ）のスペーサー及び掃除用網の詳細を示す説明図である。
【図２２】上網部を構成する小型の上網片の列と掃除用網との列を示す説明図である。
【図２３】植栽基盤の列同士の間に、小型の上網片の列である上網部と下網部とからなる二層構造の網部を形成し、小型の上網片の列である上網部と下網部との間に複数の掃除用網を配置した構造を示す説明図である。（ａ）は、植栽基盤の列同士の間に、小型の上網片の列である上網部と下網部とからなる二層構造の網部を形成し、小型の上網片の列と掃除用網の列とを重ね合わせて配置した構造を上方より示す説明図である。（ｂ）は、（ａ）における小型の上網片と掃除用網との連結した状態を示す説明図である。
【図２４】植栽基盤の列同士の間に設けられた二層構造の網部上を通るために二層構造の網部内に通路材を設けた構造を示す説明図である。（ａ）は、二層構造の網部の中央側で、下網部と上網部との間に第一通路材を配置して、上網部の上に第二通路材を配置する構造を示す説明図である。（ｂ）は、（ａ）に示す第一通路材及び第二通路材の詳細を示す説明図である。
【図２５】植栽基盤の列同士の間に設けられた二層構造の網部上を通るために二層構造の網部内に通路材を設けた構造を示す説明図である。（ａ）は、図２０（ｂ）のＸ−Ｘ線に沿う断面方向から示す説明図である。（ｂ）は、第一通路材より第二通路材が長い場合における図１５（ｂ）のＸ−Ｘ線に沿う断面方向から示す説明図である。
【図２６】図２０に示す通路材の長手方向を横断する断面方向より示す説明図である。（ａ）は、第一通路材の長手方向を横断する断面方向より示す説明図である。（ｂ）は、第二通路材の長手方向を横断する断面方向より示す説明図である。
【図２７】図２０に示す二層構造の網部と通路材とを上方より示す説明図である。（ａ）は、上網部と掃除用網との配置状態を示す説明図である。（ｂ）は、（ａ）における小型の上網片と掃除用網との連結した状態を示す説明図である。
【図２８】構造物の屋上面に接続金具の列を複数配置した工程を示す説明図である。（ａ）は、構造物の屋上面に対向して複数の接続金具の列が配置された状態を上方から示す説明図である。（ｂ）は、（ａ）を正面方向から部分的に示す説明図である。
【図２９】接続金具の列同士の間に下網部を配置した工程を示す説明図である。（ａ）は、接続金具の列の内、二層構造の網部を設ける接続金具の列同士の上に下網部を配置した状態を示す説明図である。（ｂ）は、（ａ）を正面方向から部分的に示す説明図である。
【図３０】長尺材を配置した工程を示す説明図である。（ａ）は、接続金具の上、或いは接続金具の上に配置した下網部の上に長尺材を配置した状態を示す説明図である。（ｂ）は、（ａ）を正面方向から部分的に示す説明図である。
【図３１】長尺材同士の間に植栽基盤を配置する状態を示す説明図である。
【図３２】植栽基盤を配置した工程を示す説明図である。（ａ）は、下網部を配置した長尺材同士の間以外の長尺材同士の間に植栽基盤を配置した状態を示す説明図である。（ｂ）は、（ａ）を正面方向から部分的に示す説明図である。
【図３３】下網部を配置した接続金具の列同士の間に上網部を配置した工程を示す説明図である。（ａ）は、二層構造の網部を形成するために下網部に上網部を重ね合わせた状態を示す説明図である。（ｂ）は、（ａ）を正面方向から部分的に示す説明図である。
【図３４】押え材を配置した工程を示す説明図である。（ａ）は、植栽基盤の列（の長手方向）に沿って押え材を配置した状態を示す説明図である。（ｂ）は、（ａ）を正面方向から部分的に示す説明図である。
【図３５】第一掃除用網を配置した工程を示す説明図である。（ａ）は、植栽基盤の列（の長手方向）に沿って第一掃除用網を配置した状態を示す説明図である。（ｂ）は、（ａ）を正面方向から部分的に示す説明図である。
【図３６】灌水パイプを配置した工程を示す説明図である。（ａ）は、植栽基盤の列（の長手方向）に沿って灌水パイプを配置した状態を示す説明図である。（ｂ）は、（ａ）を正面方向から部分的に示す説明図である。
【図３７】植栽基盤から蔓性植物が成長し二層構造の網部に伸びた工程を示す説明図である。
【図３８】接続金具の別の形態を示す説明図である。（ａ）は、折板屋根に配置された別の形態の接続金具の説明図である。（ｂ）は、（ａ）に示す接続金具を用いて二層構造の網部を配置した状態を示す説明図である。
【図３９】特許文献１の植物栽培用パネル部材と植物栽培装置におけるパネル部材の折り曲げた状態を示す説明図である。
【発明を実施するための形態】
【００２３】
以下、本発明を実施するための形態について図面を参照して説明する。
【００２４】
（例１）
例１では、図１に示すように、構造物である建造物等の最上部に設けた覆いである屋根、或いは構造物である建造物等の最上階の上に設けた平らな所にあたる屋上である、構造物の屋上面１００に配置された接続金具２上に長尺材３を配置し、長尺材３の長手方向に沿って一列に並べた植栽基盤１の列同士の間に二層構造の網部５を設ける構造について説明する。
【００２５】
接続金具２は、図１に示すように、構造物の屋上面１００上に所定の間隔で４列に平行に配置されている。各列では、図２４に示すように、間隔をあけて複数の接続金具２が配置されて、接続金具２の列が形成されている。接続金具２の列は、構造物の屋上面１００に長尺材３を配置するために、長尺材３の長手方向に沿うように、真っ直ぐに一列に並べられており、対向する接続金具２の列同士では、接続金具２、２同士が対向している。
【００２６】
図１及び図２４に示すように、構造物の屋上面１００に配置された、本例で用いる接続金具２は、図２に示すように、略立方体形状の箱体２０をなしており、蓋部２２１と本体部２１１とで構成されている。蓋部２２１側には、図２（ａ）に示すように、上面部２２の中心に、上面部２２から上面部２２に対して垂直に伸びるボルト部２３が取り付けられている。本例では、ボルト部２３の頭部２３１が箱体２０内に入るようにし、上面部２２の凸部であるボルト部２３に座金２３３を通し、ナット２３２を螺合させてナット２３２を上面部２２に接近させて、ボルト部２３の頭部２３１と座金２３３（及びナット２３２）とで上面部２２を挟み込んだ状態でナット２３２が固定されている。以上の構成の蓋部２２１を本体部２１１に載せてボルト部２１２、２１２により、蓋部２２１と本体部２１１を固定することで接続金具２が完成している。
【００２７】
接続金具２の構造物の屋上面１００上への配置に際しては、ボルト部２１３を用いることで行われている。具体的には、図２（ｂ）に示すように、蓋部２２１を取り外した状態の本体部２１１を構造物の屋上面１００へ載置して、本体部２１１の下面部２１の中心に設けてある孔部２１５にボルト部２１３を挿入し、工具等によりボルト部２１３を回転させて構造物の屋上面１００からボルト部２１３を埋め込んである。所定の深さ埋め込んだボルト部２１３の本体部２１１内へ伸びている部分に座金２１６及びナット２１４を本体部の壁面まで螺合することで構造物の屋上面１００へ接続金具２の本体部２１１の固定が行われている。図２（ｂ）の点線で示す位置まで座金２１６及びナット２１４を螺合させることで本体部の壁面２１７まで螺合したことを示している。また、実際の本体部２１１の内部では、図２（ｂ）の実線で示す壁面２１７に座金２１６（及びナット２１４）が接触している。
【００２８】
そして、構造物の屋上面１００への固定が行われた接続金具２の本体部２１１へ蓋部２２１を本体部２１１に載せてボルト部２１２、２１２により、蓋部２２１と本体部２１１を固定することで接続金具２が配置されている。ただし、接続金具２の下面部２１に接着剤等を塗布することで構造物の屋上面１００に接続金具２を配置することも可能である。具体的には、図２（ｃ）に示すように、ボルト部２３が固定された蓋部２２１を本体部２１１に載せてボルト部２１２、２１２により、蓋部２２１と本体部２１１を固定して完成した接続金具２の下面部２１に接着剤を塗布して構造物の屋上面１００に載置することで接続金具２を構造物の屋上面１００に配置することになる。この場合は、図２（ｃ）の点線及び実線で示す壁面２１７に孔部２１５を設けるような変更を加えることなく、図２（ｃ）に示すように、下面部２１全面が構造物の屋上面１００に固定されて接続金具２が配置されることになる。
【００２９】
図３に示すように、両端の接続金具２の列同士の間に挟み込まれた、中央に配置された（両端の接続金具２の列に対向して配置された）接続金具２の列同士の間には二層構造の網部５の第一網部である下網部５１が設けられている。本例で用いる下網部５１は樹脂製であり、網目は１ｍｍ×１ｍｍの正方形の網目であるが、網目は、このような形状に限定されることなく、例えば、１ｍｍから５ｍｍの正方形、或いは長方形の網目で、ごみが落ちないで、しかも風が通る程度の大きさが確保できればよく、網目の形状は特に問わない。本例では、図３に示すように、中央に配置された（両端の接続金具２の列に対向して配置された）接続金具２の列同士の間に下網部５１が配置され、中央に配置された（両端の接続金具２の列に対向して配置された）接続金具２の列同士を被って配置されている。
【００３０】
下網部５１は、下網部５１の、長尺材３の長手方向となる一列に並んだ接続金具２に対して交差する方向の下網部５１の縁部５１ａ、５１ａ側の網目が、接続金具２、２のボルト部２３、２３を通り、下網部５１の縁部５１ａ、５１ａ側を接続金具２、２の上面部２２、２２に載置されて配置されている。図３に示すように、下網部５１は、二列に並んだ接続金具２、２同士の間を被い、下網部５１の縁部５１ａ、５１ａ側が対向する接続金具２、２の上面部２２に載置されることで、接続金具２の上面部２２から伸びるボルト部２３が下網部５１の縁部５１ａ側の網目を通り抜け、下網部５１の保持及び位置決めが行われている。このように下網部５１が配置されることで、下網部５１は構造物の屋上面１００に沿う方向に設けられることになる（下網部５１は構造物の屋上面１００に対して平行に設けられることになる）。
【００３１】
そして、図１に示すように、両端側の接続金具２の列の上と、両端側の接続金具２の列と対向する、下網部５１が配置された接続金具２の列の上とに長尺材３が配置されている。長尺材３は、図４に示すように、断面が逆Ｔ字状の形状をなした長尺の部材である。具体的には、図４（ａ）に示すように、逆Ｔ字状の形状をなし、長尺材３の長手方向に沿う側方端３１、３１側が接続部材２の上面部２２に沿い、同一平面をなすように底面部３４、３４が形成されている。底面部３４、３４に連続する、長尺材３の長手方向に沿う中央部には、底面部３４、３４から隆起した矩形形状の突出部３２が形成されており、突出部３２は接続金具２から伸びるボルト部２３の外径を収納できるだけの外形をなしている。長尺材３の突出部３２の先端３２ａには、図４（ｂ）に示すように、突出部３２は接続金具２から伸びるボルト部２３が長尺材３の突出部３２から突き出るための孔部３３が形成されており、孔部３３は、長尺材３の長手方向に沿って構造物の屋上面１００に設けられた接続金具２から伸びるボルト部２３の位置に対応して形成されている。
【００３２】
構造物の屋上面１００に、長尺材３の長手方向に沿うように、複数配置された接続金具２の上面部２２に長尺材３の底面部３４、３４が載せられることで、図５に示すように、接続金具２のボルト部２３の先端側が長尺材３の突出部３２の先端３２ａの孔部３３から突き出ている。そして、本例では、図５（ａ）に示すように、両端側の接続金具２の列の上に配置された長尺材３の突出部３２の孔部３３から突き出したボルト部２３には固定部材であるナット７１が螺合されて、長尺材３が接続金具２側に固定されている。また、接続金具２、２に載った、対向する長尺材３、３により、長尺材３、３の、底面部３４、３４と突出部３２と形成される角部３５、３５が向き合う（対向する）ことで、角部３５、３５が植栽基盤１の底面部１３の縁部１３ａ側を支持することが可能になり、長尺材３、３の角部３５、３５に植栽基盤１が載置されている。
【００３３】
植栽基盤１は、図６に示すように、略四角錐台の形状をなしている。植栽基盤１の矩形形状の上面部１１側から、植栽基盤１の厚み方向に沿って植栽ポット１２が複数形成されている。本例では、図６（ａ）に示すように、植栽基盤１の上面部１１側に植栽ポット１２は一定の間隔で九つ形成されているが、九つに限定されることなく九つより多くすることも可能であり、少なくすることも可能である。そして、この植栽ポット１２には、培土を充填して蔓性植物を植栽することになる。また、植栽基盤１は、図６（ｂ）に示すように、上面部１１より底面部１３が大きく、植栽基盤１の側方方向にあたる上面部１１と底面部１３との間の側面部１４は傾斜して形成されている。そして、植栽基盤１は、長尺材３、３の長手方向に沿って複数、長尺材３、３の角部３５、３５に載置されることで、植栽基盤１の列が配置されている。
【００３４】
そして、長尺材３の、複数の植栽基盤１が載置されて（配置されて）植栽基盤１の列が形成された角部３５側とは反対の角部３５側には、図１に示すように、第一押え材４が取り付けられている。第一押え材４は、植栽基盤１の側面部１４を保持するための部材であり、接続金具２に固定された長尺材３と植栽基盤１とを連結するため、第一押え材４の長手方向の長さと長尺材３の長手方向の長さとが略同一となっている。第一押え材４の長手方向と交差する横断方向の形状は、図５（ａ）及び図７（ａ）に示すように、長尺材３側では、長尺材３の底面部３４と平行に伸びる平面部４１が、接続金具２を含めた長尺材３の底面部３４を被うことができるように、長尺材３の底面部３４より若干長く伸びて形成されている。そして、図５（ａ）及び図７（ａ）に示すように、長尺材３の、突出部３２と底面部３４を囲むように、平面部４１から、平面部４１に対して垂直に伸びる折曲部４２が形成されている。
【００３５】
植栽基盤１側の第一押え材４の長手方向と交差する横断方向の形状では、図５（ａ）及び図７（ａ）に示すように、本例では植栽基盤１が略四角錐台の形状をなし植栽基盤１の側面部１４が傾斜しているため、平面部４１から折れ曲がり植栽基盤１の側面部１４に沿って平行に傾斜して伸長部４３が伸びている。本例の植栽基盤１と異なり、例えば、直方体形状の植栽基盤であれば、植栽基盤１の側面部１４は傾斜しないことになり、平面部４１から伸びる伸長部４３も傾斜せずに植栽基盤１の側面部１４に沿って伸びることになる。植栽基盤１の側面部１４に沿って伸びた伸長部４３より植栽基盤１の上面部１１に沿って、上面部１１と平行に平面部４４が植栽ポット１２の方向に伸びている。
【００３６】
そして、平面部４１の植栽基盤１側には、孔部４５が形成されており、孔部４５は、図７（ｂ）に示すように、長尺材３の長手方向に沿って構造物の屋上面１００に設けられた接続金具２から伸びるボルト部２３の位置に対応して形成されている。接続金具２から伸びる、ナット７１より突き出したボルト部２３がその孔部４５から突き出ている。突き出ているボルト部２３に通された座金７３は、図５（ａ）に示すように、平面部４１上に載置されており、座金７３より突き出したボルト部２３にナット７２を螺合することで第一押え材４が配置されている。以上のようにして、第一押え材４が配置されることにより、接続金具２に固定された長尺材３と植栽基盤１とが連結されている。
【００３７】
また、図３に示すように、中央に配置された（両端の接続金具２の列に対向して配置された）接続金具２の列同士の間に設けられた下網部５１と重なり合うようにして第二網部である上網部５２が設けられている。本例で用いる上網部５２は下網部５１より網目の大きい金属製であり、網目は５０ｍｍ×５０ｍｍの正方形の網目であるが、網目は、このような形状に限定されることなく、蔓性植物の蔓が繁ることができれば、どんな形状でもかまわず、例えば、５０ｍｍ×５０ｍｍから１５０ｍｍ×３００ｍｍの正方形、或いは長方形の網目で、網目が長方形の場合には、長尺材の長手方向と平行な方向を網目の広い辺と狭い辺の内、狭い辺とすることになる。本例では、図３に示すように、下網部５１上に配置された長尺材３、３から突き出たボルト部２３、２３の列同士の間に、上網部５２が長尺材３、３の先端２３ａ、２３ａを被うようにして配置されている。
【００３８】
上網部５２は、図５（ｂ）に示すように、下網部５１と同様に、上網部５２の、長尺材３の長手方向となる一列に並んだ接続金具２から伸びるボルト部２３に対して交差する方向の上網部５２の縁部５２ａ、５２ａ側の網目が、接続金具２、２のボルト部２３、２３を通り、上網部５２の縁部５２ａ、５２ａ側を長尺材３、３の先端３２ａ、３２ａに載置されている。つまり、図３（ａ）に示すように、上網部５２は、中央に配置された（両端の接続金具２の列に対向して配置された）接続金具２の列同士の間を被い、上網部５２の縁部５２ａ、５２ａ側が対向する長尺材３、３の先端３２ａ、３２ａに載置されることで、接続金具２の上面部２２から伸びるボルト部２３が上網部５２の縁部５２ａ側の網目を通り抜け、上網部５２の保持及び位置決めが行われている。
【００３９】
このように上網部５２が載置されることで、上網部５２は構造物の屋上面１００に沿う方向に設けられることになる（上網部５２は構造物の屋上面１００に対して平行に設けられることになる）。その結果、上網部５２は下網部５１に対向して重なり合い、下網部５１と上網部５２とが対向して空間５２３が形成されている。以上のようにして、複数配置された植栽基盤１の列同士の間には、下網部５１と上網部５２とからなる二層構造の網部５が設けられている。図５（ｂ）に示すように、上網部５２の縁部５２ａ側の網目を通り抜け突き出したボルト部２３には固定部材であるナット７１が螺合されて、下網部５１の縁部５１ａ側、長尺材３及び上網部５２の縁部５２ａ側が接続金具２側に固定されている。
【００４０】
さらに、複数配置された植栽基盤１の列と隣接する長尺材３（接続金具２から伸びるナット７１から突き出したボルト部２３）とを連結するために、第一押え材４と対向して、上網部５２の縁部５２ａ側のナット７１上には第二押え材６が配置されている。第二押え材６は、第一押え材４と同様に、長手方向の長さが長尺材３の長手方向の長さとが略同一となっている。この第二押え材６は、図５（ｂ）及び図８に示すように、本例の植栽基盤１が略四角錐台の形状をなし、植栽基盤１の、傾斜した側面部１４に沿って伸長部６２が伸びており、伸長部６２の一方の端部側より（折れ曲がり）植栽基盤１の上面部１１上に（載り）、上面部１１と平行に平面部６３が植栽ポット１２へ伸びている。また、伸長部６２の他方の端部側より（折れ曲がり）上網部５２の縁部５２ａ側上に、上網部５２に沿って伸びる平面部６１が形成されている。
【００４１】
本例の植栽基盤１と異なり、例えば、直方体形状の植栽基盤であれば、植栽基盤１の側面部１４は傾斜しないことになり、平面部６１から伸びる伸長部６２も傾斜せずに植栽基盤１の側面部１４に沿って伸びることになる。植栽基盤１の側面部１４に沿って伸びた伸長部６２より（折れ曲がり）植栽基盤１の上面部１１上に、上面部１１と平行に平面部６３が植栽ポット１２に向かって伸びている。そして、図５（ｂ）及び図８（ａ）に示すように、平面部６１は上網部５２の縁部５２ａ側のナット７１上に載置され、平面部６１には、孔部６４が設けられており、孔部６４は、図８（ｂ）に示すように、長尺材３の長手方向に沿って構造物の屋上面１００に設けられた接続金具２から伸びるボルト部２３の位置に対応して形成されている。
【００４２】
そして、接続金具２から伸びるボルト部２３が孔部６４から突き出ている。この孔部６４から突き出ているボルト部２３に通された座金７３は、図５（ｂ）に示すように、平面部６１上に載置されており、座金７３より突き出したボルト部２３にナット７２を螺合し
ている。ナット７２を螺合することで第二押え材６を上網部５２及び植栽基盤１側に固定することで植栽基盤１の側面部１４を押さえることになる。以上のようにして、第二押え材６が配置されることにより、下網部５１の縁部５１ａ側、長尺材３及び上網部５２の縁部５２ａ側を固定された接続金具２と植栽基盤１とが連結されている。以上のようにして、一列に並べた植栽基盤１同士の間に二層構造の網部５が設けられている。
【００４３】
また、二層構造の網部５内には、第一掃除用網である掃除用網５３を配置することも可能であり、図９では、二層構造の網部５内に掃除用網５３を配置した状態が示してある。本例で用いる掃除用網５３は樹脂製であり、網目の大きさは１ｍｍ×１ｍｍの正方形の網目であり、下網部５１の網目と同じ大きさである。掃除用網５３の網目は下網部５１の網目と同じ大きさであれば１ｍｍ×１ｍｍの大きさに限定されることなく、例えば、１ｍｍから５ｍｍの正方形、或いは長方形の網目で、ごみが下網部５１へ落ちないで、しかも風が通る程度の網目の大きさが確保できていればよく、網目の形状は特に問わない。そして、二層構造の網部５内に配置される掃除用網５３の大きさは、同じ大きさで重なり合っている（下網部５１に対向するとともに上網部５２に対向し）、下網部５１と上網部５２との大きさにほぼ等しい大きさである。
【００４４】
具体的には、掃除用網５３の、長尺材３の長手方向に沿う長さは、下網部５１及び上網部５２の、長尺材３の長手方向に沿う長さと同じであり、掃除用網５３の、長尺材３の長手方向と交差する横断方向の長さ（掃除用網５３の幅）は、図９（ａ）に示すように、下網部５１及び上網部５２の、長尺材３の長手方向と交差する横断方向の長さ（下網部５１及び上網部５２の幅）より短い。そして、掃除用網５３は、図９（ａ）に示すように、二層構造の網部５内の空間５２３に下網部５１と上網部５２とに挟み込まれて配置されている。そのため、掃除用網５３は、二層構造の網部５内の空間５２３に配置されることで、下網部５１に対向するとともに、上網部５２に対向することになる（図１０（ａ）参照）。
【００４５】
また、掃除用網５３は、図１０に示すように、掃除用網５３を形成する、掃除用網５３の長手方向に沿う（長尺材３の長手方向に沿う）縦糸５４と、掃除用網５３を形成する、掃除用網５３の長手方向（長尺材３の長手方向）と交差する横断方向に沿う横糸５５とが交差して形成されている。そして、横糸５５は容易に折れ曲がらない強度を有する素材、例えば、樹脂、金属で成形されており、これに対して、縦糸５４は柔軟性に富んだ素材、例えば、繊維等で成形されている。また、横糸５５、縦糸５４の素材を同じにして、横糸５５、縦糸５４の太さを異なるようにして、つまり、横糸５５より縦糸５４を細くすることで横糸５５を縦糸５４より折れ曲がらない強度を上げることも可能である。さらに、図１０（ｂ）に示すように、掃除用網５３の他方の端部５３２には、掃除用網５３の縁部５３ａ、５３ａ側に二本の引戻し紐５６、５６が取り付けられている。このように、掃除用網５３は、横糸５５は容易に折れ曲がらない強度を有する素材からなるため、収納等に際して横糸５５を中心に掃除用網５３の長手方向に沿って巻き取ることにより掃除用網５３をまとめることが可能である。
【００４６】
そして、掃除用網５３は、下網部５１と上網部５２との間に配置されるに際しては、掃除用網５３の取り外しを考慮に入れて、上網部５２の、第二押え材（長尺材３）６側である、上網部５２の縁部５２ａ、５２ａ側と対向する掃除用網５３の縁部５３ａ、５３ａ側を上網部５２の縁部５２ａ、５２ａ側に針金で縛って固定することで配置している。具体的には、図９（ｂ）に示すように、上網部５２の縁部５２ａ、５２ａ側と、上網部５２の縁部５２ａ、５２ａ側と対向する掃除用網５３の縁部５３ａ、５３ａ側との複数箇所で上網部５２の縁部５２ａ、５２ａ側と掃除用網５３の縁部５３ａ、５３ａ側を固定している。
【００４７】
この上網部５２の縁部５２ａ、５２ａ側と掃除用網５３の縁部５３ａ、５３ａ側との固定が行われる固定位置５３３、５３４、５３５、・・・は、図９（ｂ）に示すように、第二押え材６の長手方向（上網部５２の縁部５２ａ、５２ａ及び掃除用網５３の縁部５３ａ、５３ａ）に沿って複数形成されている。本例では、固定位置５３３、５３４、５３５、・・・は等間隔で形成されているが、等間隔で形成される必要はない。上網部５２に対して掃除用網５３を固定（取り付け）ができれば固定位置５３３、５３４、５３５、・・・の間隔は自由に設定することが可能である。
【００４８】
固定位置では、上網部５２の縁部５２ａ、５２ａ側と、上網部５２の縁部５２ａ、５２ａ側と対向する掃除用網５３の縁部５３ａ、５３ａ側とを紐状部材である針金により縛っている。単に針金により上網部５２の縁部５２ａ、５２ａ側と掃除用網５３の縁部５３ａ、５３ａ側とを縛っているに過ぎないので針金を解くことにより、上網部５２と掃除用網５３とを分離することが可能になっている。本例では、針金を用いて上網部５２に掃除用網５３を固定しているが、針金の他にフック状の部材を用いて上網部５２に掃除用網５３を固定して配置することも可能である。
【００４９】
フック状の部材を用いる場合には、上網部５２の縁部５２ａ、５２ａ側の固定位置５３３、５３４、５３５、・・・の網目にフック状の部材の一端を取り付け（引っ掛け）、掃除用網５３の縁部５３ａ、５３ａ側の固定位置５３３、５３４、５３５、・・・の網目にフック状の部材の他端を取り付け（引っ掛け）ることにより、上網部５２に掃除用網５３を固定して配置することになる。以上のようにして、針金、或いはフック状の部材を用いることにより、針金を縛ったり、解いたりしたり、或いはフック状の部材を取り付けたり、外したりすることで上網部５２に掃除用網５３の着脱を可能にしている。
【００５０】
そして、構造物の屋上面１００上に二列に並んだ植栽基盤１、１の列同士の間の二層構造の網部５の中に（二層構造の網部５である、下網部５１と上網部５２とで挟み込んで）掃除用網５３を設けるには、重なり合っている、上網部５２及び下網部５１の一方の端部側（上網部５２及び下網部５１の長手方向に沿う両端の一方の端部側）から掃除用網５３を、上網部５２と下網部５１とで形成された空間５２３内に挿入する。挿入することで掃除用網５３を下網部５１に対向させるとともに、上網部５２に対向させることで、二層構造の網部５の中に掃除用網５３を設けることになる。
【００５１】
つぎに、固定位置５３３、５３４、５３５、・・・で上網部５２に掃除用網５３を針金で固定することで掃除用網５３が配置される。そして、掃除用網５３を二層構造の網部５の中から取り出すには、固定位置５３３、５３４、５３５、・・・に取り付けられた針金を解き（掃除用網５３から針金を取り除き）、掃除用網５３を矢印Ａ方向へ移動して、掃除用網５３を二層構造の網部５の外に出す。掃除用網５３には、枯葉等のごみが載っているので掃除用網５３を二層構造の網部５から取り出すことで二層構造の網部５から枯葉等のごみを除去することが可能になる。
【００５２】
（例２）
例２では、図１１に示すように、長尺材３の長手方向に沿って二列に隣接して並んだ植栽基盤１、１の列を水平方向より挟み込むように二層構造の網部５を設けて、植栽基盤１、１の列同士の間に配置して植栽基盤１、１の列同士を連結するとともに通路となる第三押え材８を設ける構造について説明する。特に、例２では、例１と異なる、二列に隣接して並んだ植栽基盤１、１の列同士の連結について中心に説明する。例２においても、二層構造の網部５側と植栽基盤１の列との連結は、例１と同様にして行われている。例２では、例１で用いた部材と同じ部材については同じ参照番号を用いて示してある。
【００５３】
接続金具２は、図１１に示すように、構造物の屋上面１００上に所定の間隔で複数列平行に配置されている（図１１では、接続金具２が五列平行に配置されている）。各列では、図２４に示すように、間隔をあけて複数の接続金具２が配置されて、接続金具２の列が形成されている。接続金具２の列は、構造物の屋上面１００に長尺材３を配置するために、長尺材３の長手方向に沿うように、真っ直ぐに一列に並べられており、対向する接続金具２の列同士では、接続金具２、２同士が対向している。構造物の屋上面１００への接続金具２の配置では、接続金具２の下面部２１を例１と同様にして構造物の屋上面１００へ固定している。
【００５４】
例２で用いる接続金具２は、基本的には、例１で用いた接続金具２と同じである。つまり、接続金具２（の上面部２２）に対して垂直方向に伸びて設けられているボルト部２３は、図１１に示すように、長尺材３の突出部３２を突き出て、さらに上網部５２を突き出る長さであればよい。ただし、本例では、植栽基盤１、１に挟み込まれる、長尺材３を配置することになる中央の接続金具２の凸部であるボルト部２４は、図１１及び図１２（ａ）に示すように、例１で用いた接続金具２のボルト部２３とは異なり、接続金具２に対して垂直方向に伸びて設けられているボルト部２４の長さが、例１で用いた接続金具２に設けられたボルト部２３より長い。ただし、ボルト部２４の長さは、植栽基盤１の厚さ方向（植栽ポットの深さ方向）の長さに応じて、ボルト部２４に固定される第三押え材８の通路としての幅を有する底面部８３がボルト部２４の先端側に固定可能となればよく、必ずしもボルト部２３より長くする必要はない。
【００５５】
図１１に示す、構造物の屋上面１００上に所定の間隔で五列に平行に配置された接続金具２の列の内、中央の接続金具２の列には、例１と同一の長尺材３が配置されている。中央の接続金具２の列に対向するそれぞれ接続金具２の列（中央の接続金具２の列の両側の接続金具２、２の列）には、下網部５１の、長尺材３の長手方向となる、一列に並んだ、中央の接続金具２の列の両側の接続金具２、２の列の方向に対応する下網部５１の縁部５１ａ、５１ａ側の網目が、中央の接続金具２の列の両側の接続金具２、２の列の接続金具２、２のボルト部２３、２３を通り、下網部５１の縁部５１ａ、５１ａ側を接続金具２、２の上面部２２、２２に載置されて配置されている。
【００５６】
つまり、図１１に示すように、中央の接続金具２の列の両側の、対向する二列に並んだ接続金具２、２の列に下網部５１が載置されて配置されることで、下網部５１により、二列に並んだ接続金具２、２同士の間（中央の接続金具２の両側の接続金具２、２の列と両側の接続金具２、２の列に対向した別の接続金具２、２との間）を被うことになる。そして、下網部５１の縁部５１ａ、５１ａ側が対向する接続金具２、２の上面部２２（中央の接続金具２の列の両側の接続金具２、２の上面部２２、２２と中央の接続金具２の列の両側の接続金具２、２の列に対向した別の接続金具２、２の上面部２２、２２）に載置されることで、接続金具２の上面部２２から伸びるボルト部２３が下網部５１の縁部５１ａ側の網目を通り抜け、下網部５１の保持及び位置決めが行われている。このように下網部５１が配置されることで、下網部５１は構造物の屋上面１００に沿う方向に設けられることになる（下網部５１は構造物の屋上面１００に対して平行に設けられることになる）。
【００５７】
そして、構造物の屋上面１００に一列に設けられた接続金具２の上には、それぞれ例１と同一の長尺材３が配置されている。接続金具２への長尺材３の配置は、図１１に示すように、例１と同様に、接続金具２の上面部２２に長尺材３の底面部３４、３４を載せて、接続金具２に対して垂直方向に伸びるボルト部２３の先端側を長尺材３の突出部３２の先端３２ａに設けられた孔部３３から突き出させている。
【００５８】
このように、図１１では、接続金具２上に長尺材３を配置して、構造物の屋上面１００に長尺材３が五列並べられている。長尺材３がこのように並べられることで、図１１に示す中央の接続金具２の列に配置された長尺材３と、中央の接続金具２の列の両側の接続金具２、２の列に配置された長尺材３、３とは対向している。そのため、接続金具２、２に載った、対向する長尺材３、３により、長尺材３、３の長手方向の、底面部３４、３４と突出部３２、３２と形成される角部３５、３５が向き合う（対向する）ことで、角部３５、３５が植栽基盤１の底面部１３の縁部１３ａ側を支持することが可能になっている。そして、対向する長尺材３、３の角部３５、３５に植栽基盤１が載置されている。
【００５９】
そして、例１と同様に、植栽基盤１は、長尺材３、３の長手方向に沿って複数、長尺材３、３の角部３５、３５に載置されている（配置されている）。つまり、植栽基盤１は三列の長尺材３の長手方向に沿って、長尺材３、３同士の間に複数載置されることで（配置されることで）、図１２（ａ）及び図１２（ｂ）に示すように、長尺材３の長手方向に沿って、二列に隣接して並んだ植栽基盤１、１の列が形成されることになる。本例では、三列に並べられた長尺材３の内、植栽基盤１、１に挟み込まれた長尺材３が他の長尺材３と対向することになるため、図１２（ｂ）に示すように、植栽基盤１、１に挟み込まれることになる長尺材３の角部３５、３５には一列目の植栽基盤１と二列目の植栽基盤１の、底面部１３の縁部１３ａ側を支持することになり、植栽基盤１、１に挟み込まれることになる長尺材３の角部３５、３５には一列目の植栽基盤１と二列目の植栽基盤１の、底面部１３の縁部１３ａ側が載置されている。
【００６０】
そして、図１１に示すように、接続金具２の列同士の間（中央の接続金具２の両側の接続金具２、２の列と両側の接続金具２、２の列に対向した別の接続金具２、２との間）に設けられた下網部５１と重なり合うようにして上網部５２が設けられている。図１１に示すように、下網部５１上に配置された長尺材３から突き出たボルト部２３の列同士の間に、上網部５２が長尺材３の先端２３ａを被うようにして配置されている。上網部５２は、図１１に示すように、下網部５１と同様に、上網部５２の、長尺材３の長手方向となる、一列に並んだ、接続金具２から伸びるボルト部２３の列に対応する上網部５２の縁部５２ａ、５２ａ側の網目が、接続金具２、２のボルト部２３、２３（中央の接続金具２の両側の接続金具２、２のボルト部２３の列と、中央の接続金具２の両側の接続金具２、２の列に対向した別の接続金具２、２のボルト部２３の列と）を通り、上網部５２の縁部５２ａ、５２ａ側を長尺材３、３の先端３２ａ、３２ａ（中央の接続金具２の両側の接続金具２、２の列に載置された長尺材３の先端３２ａと、中央の接続金具２の両側の接続金具２、２の列に対向した別の接続金具２、２の列に載置された長尺材３の先端３２ａと）に載置されて配置されている。
【００６１】
つまり、図１１に示すように、上網部５２は、二列に並んだ長尺材３、３同士の間（中央の接続金具２の両側の接続金具２、２の列に載置された長尺材３と、中央の接続金具２の両側の接続金具２、２の列に対向した別の接続金具２、２の列に載置された長尺材３と）を被い、上網部５２の縁部５２ａ、５２ａ側が対向する長尺材３、３の先端３２ａ、３２ａに載置されることで、接続金具２の上面部２２から伸びるボルト部２３が上網部５２の縁部５２ａ側の網目を通り抜け、上網部５２の保持及び位置決めが行われている。このように上網部５２が配置されることで、上網部５２は構造物の屋上面１００に沿う方向に設けられることになる（上網部５２は構造物の屋上面１００に対して平行に設けられることになる）。その結果、上網部５２は下網部５１に対向して重なり合い、下網部５１と上網部５２とが対向して空間５２３が形成されている。以上のようにして、例１と同様にして、複数配置された植栽基盤１、１の列同士の間には、下網部５１と上網部５２とからなる二層構造の網部５が設けられている。
【００６２】
そして、例１と同様に、上網部５２の縁部５２ａ側の網目を通り抜け突き出したボルト部２３には固定部材であるナット７１が螺合されて、下網部５１の縁部５１ａ側、長尺材３及び上網部５２の縁部５２ａ側が接続金具２側に固定されている。また、例１と同様に、複数配置された植栽基盤１の列と隣接する長尺材３（接続金具２から伸びるナット７１から突き出したボルト部２３）とを連結するために、第二押え材６が配置されている。第二押え材６は、例１と同様に、長手方向の長さが長尺材３の長手方向の長さとが略同一となっている。そして、植栽基盤１が、例１と同様に、略四角錐台の形状をなし植栽基盤１の側面部１４が傾斜している。
【００６３】
第二押え材６が配置されることで、植栽基盤１の側面部１４に沿って伸びた第二押え材６の伸長部６２より植栽基盤１の上面部１１上に載り、上面部１１と平行に第二押え材８の平面部６３が植栽ポット１２に向かって伸びている。そして、例１と同様に、平面部６１の植栽基盤１側に設けられた孔部６４からは、接続金具２から伸びるボルト部２３が突き出ており、このボルト部２３に通された座金７３は平面部６１上に載置されている。座金７３より突き出たボルト部２３にナット７２を螺合することで第二押え材６を上網部５２及び植栽基盤１側に固定して植栽基盤１の側面部１４を第二押え材６により押さえることになる。
【００６４】
以上のようにして、二列に隣接して並んだ植栽基盤１、１の列を水平方向より二層構造の網部５が挟み込んだ構成となっている。
【００６５】
また、二列に隣接して並んだ植栽基盤１、１同士の間では、図１１に示すように、植栽基盤１、１に長尺材３が挟み込まれており、その長尺材３が載置された接続金具２から接続金具２に対して垂直に伸びるボルト部２４が長尺材３の孔部３３から突き出ている。そして、このボルト部２４に通された座金７３は長尺材３の突出部３２の先端３２ａ上に載置されている。この座金７３より突き出たボルト部２４にはナット７２が螺合されて、長尺材３は接続金具２に固定されている。
【００６６】
また、二列に隣接して並んだ植栽基盤１、１同士の間には、図１１及び図１２に示すように、第三押え材８が取り付けられている。第三押え材８は、図１３に示すように、板状部材を折り曲げて形成されている。第三押え材８は、図１３（ｂ）に示すように、第三押え材８の（長手方向を横断する方向の）中央では第三押え材８の長手方向に沿って、平面部８１、８１より隆起した突出部８４が形成されている。突出部８４は断面がＴ字状の形状をなしており、折曲部８２、８２と底面部８３とで形成されている（図１３（ａ）参照）。
【００６７】
つまり、突出部８４は、平面部８１、８１より略垂直に折れ曲がって伸びる折曲部８２、８２が形成されている。本例での植栽基盤１の側面部１４が傾斜しているため、折曲部８２、８２は植栽基盤１の側面部１４に沿うために、植栽基盤１の側面部１４に沿えるように平面部８１、８１より略垂直に折れ曲がって伸びている。そして、底面部８３は、図１３に示すように、折曲部８２、８２から折れ曲がり、折曲部８２、８２と連続する水平な平面状の平板部として形成されている。また、底面部８３には、図１３（ｂ）に示すように、第三押え材８の長手方向に沿って接続金具２が設けられる位置に対応して孔部８５が設けられている。そして、第三押え材８は、第一押え材４及び第二押え材６と同様に、長手方向の長さが長尺材３の長手方向の長さとが略同一となっている。
【００６８】
第三押え材８は、図１２（ｂ）に示すように、二列に隣接して並んだ植栽基盤１、１の間に配置され、第三押え材８の長手方向は二列に隣接して並んだ植栽基盤１、１の上面部１１、１１の列に沿って伸びている。二列に隣接して並んだ植栽基盤１、１の側面部１４、１４の間では側面部１４、１４の間に、第三押え材８の長手方向と交差する横断方向の中央側の突出部８４が挟み込まれている。つまり、図１２（ｂ）に示すように、第三押え材８が二列に隣接して並んだ植栽基盤１、１の間に配置されることで、第三押え材８の折曲部８２、８２が二列に隣接して並んだ植栽基盤１、１の側面部１４、１４に沿って伸び、第三押え材８の長手方向と交差する横断方向の縁部側では、第三押え材８の平面部８１が植栽基盤１の上面部１１に載り、植栽基盤１の上面部１１上を植栽基盤１の上面部１１と平行に、植栽ポット１２に向かって伸びている。
【００６９】
植栽基盤１は略四角錐台の形状をなし植栽基盤１の側面部１４が傾斜しているため、図１２（ｂ）に示すように、二列に隣接して並んだ植栽基盤１、１同士の上面部１１、１１の縁部１１ａ、１１ａ同士の間の長さは、底面部１３、１３の縁部１３ａ、１３ａ同士の間の長さよりも長くなっている。そのため、植栽基盤１、１同士を隣り合わせても（底面部１３、１３の縁部１３ａ、１３ａ同士を接近させても、底面部１３、１３の縁部１３ａ、１３ａ同士の間の距離より上面部１１、１１の縁部１１ａ、１１ａ同士の間の距離は長くなり）、第三押え材８の底面部８３の長手方向と交差する横断方向の長さを長くする（第三押え材８の底面部８３の幅を広くとる）ことが可能になる。その結果、第三押え材８の底面部８３は人が通る通路として用いることが可能になる。
【００７０】
また、図１３（ｂ）に示すように、第三押え材８の底面部８３には、第三押え材８の長手方向に沿って接続金具２が設けられる位置に対応して孔部８５が設けられており、第三押え材８が植栽基盤１、１同士の間に取り付けられると、接続金具２から伸びるボルト部２４の先端側が第三押え材８の孔部８５を貫通して突き出ている。この孔部８５から突き出ているボルト部２４には座金７３が通されており、その座金７３は底面部８３上に載置されている。さらに座金７３より突き出たボルト部２４にはナット７２を螺合することで第三押え材８を二列に隣接して並んだ植栽基盤１、１の上面部１１、１１側に固定することで二列に隣接して並んだ植栽基盤１、１同士の間隔を保持する（固定する）とともに、二列に隣接して並んだ植栽基盤１、１同士の間に通路を形成することになる。
【００７１】
以上のようにして、二列に隣接して並んだ植栽基盤１、１の列を水平方向より二層構造の網部５で挟み込んで、二列に隣接して並んだ植栽基盤１、１の列同士の間に第三押え材８を配置して植栽基盤１、１の列同士を連結するとともに通路を設けることになる。
【００７２】
また、二層構造の網部５内には、第三掃除用網である掃除用網５３を配置することも可能であり、図１４では、二層構造の網部５、５内それぞれに掃除用網５３、５３を配置した状態が示してある。掃除用網５３、５３は、図１４に示すように、二列に隣接して並んだ植栽基盤１、１の列を水平方向より挟み込んだ二層構造の網部５、５内の空間５２３に配置されている。本例での第三掃除用網である掃除用網５３は、例１に示す第一掃除用網と実質的に同じである。本例で用いる掃除用網５３は、例１と同様に、樹脂製であり、網目の大きさは１ｍｍ×１ｍｍの正方形の網目であり、下網部５１の網目と同じ大きさである。
【００７３】
例１と同様に、掃除用網５３の網目は下網部５１の網目と同じ大きさであれば１ｍｍ×１ｍｍの大きさに限定されることなく、例えば、１ｍｍから５ｍｍの正方形、或いは長方形の網目で、ごみが下網部５１へ落ちないで、しかも風が通る程度の網目の大きさが確保できていればよく、網目の形状は特に問わない。そして、例１と同様に、二層構造の網部５内に、下網部５１に対向するとともに上網部５２に対向して配置される掃除用網５３の大きさは、同じ大きさで重なり合っている、下網部５１と上網部５２との大きさにほぼ等しい大きさである。本例では、掃除用網５３が、二列に隣接して並んだ植栽基盤１、１の列を水平方向より挟み込んだ両方の二層構造の網部５内に配置されている。
【００７４】
そして、例１と同様に、掃除用網５３の、長尺材３の長手方向に沿う長さは、下網部５１及び上網部５２の、長尺材３の長手方向に沿う長さと同じであり、掃除用網５３の、長尺材３の長手方向と交差する横断方向の長さ（掃除用網５３の幅）は、図１４に示すように、下網部５１及び上網部５２の、長尺材３の長手方向と交差する横断方向の長さ（下網部５１及び上網部５２の幅）より短い。そして、掃除用網５３は、例１と同様に、図１４に示すように、二層構造の網部５内の空間５２３に下網部５１と上網部５２とに挟み込まれて配置されている。そのため、掃除用網５３は、二層構造の網部５内の空間５２３に配置されることで、下網部５１に対向するとともに、上網部５２に対向することになる（図１４参照）。
【００７５】
また、掃除用網５３は、例１と同様に、図１５に示すように、掃除用網５３を形成する、掃除用網５３の長手方向に沿う（長尺材３の長手方向に沿う）縦糸５４と、掃除用網５３を形成する、掃除用網５３の長手方向（長尺材３の長手方向）と交差する横断方向に沿う横糸５５とが交差して形成されている。そして、横糸５５は容易に折れ曲がらない強度を有する素材、例えば、樹脂、金属で成形されており、これに対して、縦糸５４は柔軟性に富んだ素材、例えば、繊維等で成形されている。また、横糸５５、縦糸５４の素材を同じにして、横糸５５、縦糸５４の太さを異なるようにして、つまり、横糸５５より縦糸５４を細くすることで横糸５５を縦糸５４より折れ曲がらない強度を上げることも可能である。さらに、例１と同様に、図１５に示すように、掃除用網５３の他方の端部５３２には、掃除用網５３の縁部５３ａ、５３ａ側に二本の引戻し紐５６、５６が取り付けられている。このように、掃除用網５３は、横糸５５は容易に折れ曲がらない強度を有する素材からなるため、収納等に際して横糸５５を中心に掃除用網５３の長手方向に沿って巻き取ることにより掃除用網５３をまとめることが可能である。
【００７６】
そして、掃除用網５３は、二層構造の網部５内の空間５２３に配置される（下網部５１と上網部５２との間に配置される）に際しては、掃除用網５３の取り外しを考慮に入れて、例１と同様に、上網部５２の、第二押え材（長尺材３）６側である、上網部５２の縁部５２ａ、５２ａ側と対向する掃除用網５３の縁部５３ａ、５３ａ側を上網部５２の縁部５２ａ、５２ａ側に針金で縛って固定することで配置している。具体的には、図１５（ａ）に示すように、上網部５２の縁部５２ａ、５２ａ側と、上網部５２の縁部５２ａ、５２ａ側と対向する掃除用網５３の縁部５３ａ、５３ａ側との複数箇所で上網部５２の縁部５２ａ、５２ａ側と掃除用網５３の縁部５３ａ、５３ａ側を固定している。
【００７７】
この上網部５２の縁部５２ａ、５２ａ側と掃除用網５３の縁部５３ａ、５３ａ側との固定が行われる固定位置５３３、５３４、５３５、・・・は、図１５に示すように、第二押え材６の長手方向（上網部５２の縁部５２ａ、５２ａ及び掃除用網５３の縁部５３ａ、５３ａ）に沿って複数形成されている。本例では、固定位置５３３、５３４、５３５、・・・は等間隔で形成されているが、等間隔で形成される必要はない。上網部５２に対して掃除用網５３を固定（取り付け）ができれば固定位置５３３、５３４、５３５、・・・の間隔は自由に設定することが可能である。
【００７８】
固定位置では、上網部５２の縁部５２ａ、５２ａ側と、上網部５２の縁部５２ａ、５２ａ側と対向する掃除用網５３の縁部５３ａ、５３ａ側とを紐状部材である針金により縛っている。単に針金により上網部５２の縁部５２ａ、５２ａ側と掃除用網５３の縁部５３ａ、５３ａ側とを縛っているに過ぎないので針金を解くことにより、上網部５２と掃除用網５３とを分離することが可能になっている。本例では、針金を用いて上網部５２に掃除用網５３を固定しているが、針金の他にフック状の部材を用いて上網部５２に掃除用網５３を固定して配置することも可能である。
【００７９】
フック状の部材を用いる場合には、上網部５２の縁部５２ａ、５２ａ側の固定位置５３３、５３４、５３５、・・・の網目にフック状の部材の一端を取り付け（引っ掛け）、掃除用網５３の縁部５３ａ、５３ａ側の固定位置５３３、５３４、５３５、・・・の網目にフック状の部材の他端を取り付け（引っ掛け）ることにより、上網部５２に掃除用網５３を固定して配置することになる。以上のようにして、針金、或いはフック状の部材を用いることにより、針金を縛ったり、解いたりしたり、或いはフック状の部材を取り付けたり、外したりすることで上網部５２に掃除用網５３の着脱を可能することになる。
【００８０】
そして、構造物の屋上面１００上に二列に隣接して並んだ植栽基盤１、１の列同士の間の二層構造の網部５の中に（二層構造の網部５である、下網部５１と上網部５２とで挟み込んで）掃除用網５３を設けるには、重なり合っている、上網部５２及び下網部５１の一方の端部側（上網部５２及び下網部５１の長手方向に沿う両端の一方の端部側）から掃除用網５３を、上網部５２と下網部５１とで形成された空間５２３内に挿入する。挿入することで掃除用網５３を下網部５１に対向させるとともに、上網部５２に対向させることで、二層構造の網部５の中に掃除用網５３を設けることになる。
【００８１】
つぎに、固定位置５３３、５３４、５３５、・・・で上網部５２に掃除用網５３を針金で固定することで掃除用網５３が配置される。本例では、二列に隣接して並んだ植栽基盤１、１の列同士を水平方向より、二層構造の網部５、５が挟み込んでいるため、例１とは異なり、一つの掃除用網５３を用いるのではなく、二層構造の網部５、５それぞれに掃除用網５３、５３が組み込まれている。そのため、本例では、図１５（ｂ）に示すように、掃除用網５３、５３が二列に隣接して並んだ植栽基盤１、１の列同士を挟み込んで対向している。
【００８２】
そして、掃除用網５３を二層構造の網部５の中から取り出すには、固定位置５３３、５３４、５３５、・・・に取り付けられた針金を解き（掃除用網５３から針金を取り除き）、掃除用網５３を矢印Ａ方向へ移動して、掃除用網５３を二層構造の網部５の外に出す。掃除用網５３には、枯葉等のごみが載っているので掃除用網５３を二層構造の網部５から取り出すことで二層構造の網部５から枯葉等のごみを除去することが可能になる。そして、掃除用網５３から枯葉等を含むゴミを除去した後、掃除用網５３の他方の端部に取り付けられた引戻し紐５６、５６を引っ張り、掃除用網５３を二層構造の網部５内へ戻し（挿入し）、再び上網部５２の、第二押え材（長尺材３）６側である、上網部５２の縁部５２ａ、５２ａ側と対向する掃除用網５３の縁部５３ａ、５３ａ側を上網部５２の縁部５２ａ、５２ａ側で複数箇所（固定位置５３３、５３４、５３５、・・・）を針金で縛ることになる。
【００８３】
また、本例においては、上網部５２は、図１６に示すように、下網部５１（長尺材３）の長手方向に沿って一つの上網部５２を配置するのとは異なり、第二網片である小型の上網片５２１を下網部５１（長尺材３）の長手方向に沿って、ボルト部２３、２３の列同士の間に一列に複数配置することで上網部５２の形成を行うことも可能である。
【００８４】
本例で用いる小型の上網片５２１は例１の上網部５２と同一の網目の大きさであり、また、小型の上網片５２１は、図１６（ａ）に示すように、略正方形形状をなしているが、略長方形形状をなすことも可能である。また、隣り合う小型の上網片５２１、５２１同士の間には隙間５２２が形成されている。つまり、小型の上網片５２１は、下網部５１の縁部５１ａ、５１ａ側の網目から突き出たボルト部２３、２３の列の長手方向に沿って、隣り合う小型の上網片５２１、５２１同士の間には隙間５２２を形成して複数配置されている（図１６参照）。小型の上網片５２１は、下網部５１の縁部５１ａ、５１ａ側の網目から突き出たボルト部２３、２３の列同士の間を被うようにして載置されている。
【００８５】
小型の上網片５２１の縁部５２１ａ、５２１ａ側の網目が、一列に並んだ、下網部５１の縁部５１ａ、５１ａの網目から突き出たボルト部２３、２３の列を通ることで、小型の上網片５２１の縁部５２１ａ、５２１ａ側が長尺材３、３の先端３２ａ、３２ａに載置されている（図１６（ｂ）参照）。載置された小型の上網片５２１と隙間５２２を経て、同じように、小型の上網片５２１は、小型の上網片５２１の縁部５２１ａ、５２１ａ側の網目が、下網部５１の縁部５１ａ、５１ａの網目から突き出たボルト部２３、２３を通して、小型の上網片５２１の縁部５２１ａ、５２１ａ側を長尺材３、３の先端３２ａ、３２ａに載置する、ということを複数の小型の上網片５２１についても行うことで複数の小型の上網片５２１が長尺材３、３の先端３２ａ、３２ａに載置されることで上網部５２が長尺材３、３の先端３２ａ、３２ａに配置されている。
【００８６】
上網部５２は、図１６（ｂ）に示すように、長尺材３の先端３２ａ、３２ａ同士の間を被い、上網部５２の縁部５２ａ、５２ａ側が対向する長尺材３の先端３２ａ、３２ａ上に載置されることで、接続金具２、２の上面部２２、２２から伸びるボルト部２３、２３が上網部５２の縁部５２ａ、５２ａ側の網目を通り抜け、上網部５２の保持及び位置決めが行われている。このように上網部５２が配置されることで、上網部５２は構造物の屋上面１００に沿う方向に設けられることになり（上網部５２は構造物の屋上面１００に対して平行に設けられることになり）、上網部５２は下網部５１に対向して重なり合うようになっている。以上のようにして、下網部５１と上網部５２とからなる二層構造の網部５が設けられている。
【００８７】
そして、植栽基盤１は、長尺材３、３の長手方向に沿って複数、長尺材３、３の角部３５、３５に載置されている（配置されている）。つまり、長尺材３の長手方向に沿って、二列に隣接して並んだ植栽基盤１、１の列が形成されている（図１６（ｂ）参照）。そして、上網部５２の縁部５２ａ側の網目を通り抜け突き出したボルト部２３には固定部材であるナット７１が螺合されて、下網部５１の縁部５１ａ側、長尺材３及び上網部５２の縁部５２ａ側が接続金具２側に固定されている。また、複数配置された植栽基盤１の列と隣接する長尺材３（接続金具２から伸びるナット７１から突き出したボルト部２３）とを連結するために、同様に、第二押え材６が配置されている。
【００８８】
また、二層構造の網部５内には、第二掃除用網である掃除用網５３を配置することも可能であり、図１４では、二層構造の網部５内に掃除用網５３を配置した状態が示してある。本例で用いる掃除用網５３は樹脂製であり、網目の大きさは１ｍｍ×１ｍｍの正方形の網目であり、下網部５１の網目と同じ大きさである。掃除用網５３の網目は下網部５１の網目と同じ大きさであれば１ｍｍ×１ｍｍの大きさに限定されることなく、例えば、１ｍｍから５ｍｍの正方形、或いは長方形の網目で、ごみが下網部５１へ落ちないで、しかも風が通る程度の網目の大きさが確保できていればよく、網目の形状は特に問わない。
【００８９】
また、掃除用網５３は、例１に示す掃除用網５３と同様に、掃除用網５３を形成する、長尺材３の長手方向に沿う縦糸５４と、掃除用網５３を形成する、長尺材３の長手方向と交差する横断方向に沿う横糸５５とが交差して形成されている。そして、例１における掃除用網５３では、横糸５５及び縦糸５４は同じ素材で成形されているが、例１における掃除用網５３と同様に、横糸５５は容易に折れ曲がらない強度を有する素材、例えば、樹脂、金属で成形されており、これに対して、縦糸５４は柔軟性に富んだ素材、例えば、繊維等で成形することも可能である。また、掃除用網５３では、例１における掃除用網５３とは異なり引戻し紐５６、５６を取り付けていないが、例１における掃除用網５３と同様に、掃除用網５３の他方の端部５３２に、掃除用網５３の縁部５３ａ、５３ａ側に二本の引戻し紐５６、５６を取り付けることも可能である。
【００９０】
下網部５１と上網部５２との間に挟み込む第二掃除用網である掃除用網５３は、小型の上網片５２１と対向して重なり合うように配置されている。図１６（ａ）に示すように、掃除用網５３は小型の上網片５２１と略同一の略正方形形状をなしている。ただし、掃除用網５３の形状は略正方形形状に限定されることなく、小型の上網片５２１の形状と略同一形状をとることになる。例えば、小型の上網片５２１が略長方形形状であれば、掃除用網５３は小型の上網片５２１は略同一形状の略長方形形状をとることになる。掃除用網５３は、小型の上網片５２１と同様に、小型の上網片５２１と対向して重なり合うようにして、第二押え材（長尺材３）６の長手方向に沿って複数配置されている。また、掃除用網５３の（一方の）端部５３１側は、図１６（ｂ）に示すように、隣り合う小型の上網片５２１、５２１同士の間に形成された隙間５２２から出ている。つまり、掃除用網５３の（一方の）端部５３１側は隣り合う小型の上網片５２１、５２１同士の間の位置になるように配置されている（図１６（ａ）参照）。
【００９１】
図１４及び図１６に示すように、掃除用網５３は、下網部５１と上網部５２との間に配置されており、配置に際しては、掃除用網５３の取り外しを考慮に入れて、上網部５２の第二押え材（長尺材３）６側である、上網部５２の縁部５２ａ、５２ａ（小型の上網片５２１の縁部５２１ａ、５２１ａ）側と対向する掃除用網５３の縁部５３ａ、５３ａで掃除用網５３の、一方の端部５３１側と他方の端部５３２側とを針金で縛って固定している。具体的には、図１６（ｂ）に示すように、上網部５２の縁部５２ａ、５２ａ（小型の上網片５２１の縁部５２１ａ、５２１ａ）側と対向する掃除用網５３の縁部５３ａ、５３ａ側で掃除用網５３の、一方の端部５３１側に固定位置５３３、５３３を形成し、上網部５２の縁部５２ａ、５２ａ（小型の上網片５２１の縁部５２１ａ、５２１ａ）側と対向する掃除用網５３の縁部５３ａ、５３ａ側で掃除用網５３の、他方の端部５３２側に固定位置５３４、５３４を形成している。
【００９２】
ただし、針金で縛ることに限定されずフック状の部材を上網部５２の縁部５２ａ、５２ａ側と対向する掃除用網５３の縁部５３ａ、５３ａとに引っ掛けることで下網部５１と上網部５２との間に掃除用網５３を固定して配置することも可能である。さらに、掃除用網５３の、一方の端部５３１側と他方の端部５３２側とを上網部５２に針金等で固定することに限定されず、例えば、掃除用網５３の一方の端部５３１側については、上網部５２の縁部５２ａ、５２ａ側に固定して、掃除用網５３の他方の端部５３２側については、隣りの掃除用網５３に重ね合わせることで順次、掃除用網５３をつなぐことで、掃除用網５３を下網部５１と上網部５２との間に、第二押え材（長尺材３）６の長手方向に沿って複数配置することも可能である。
【００９３】
以上のようにして、構造物の屋上面１００上に二列に並んだ植栽基盤１、１の列同士の間の二層構造の網部５の中に（二層構造の網部５である、下網部５１と上網部５２とで挟み込んで）掃除用網５３を設けることになる。そして、掃除用網５３を取り出す際には、図１６（ｂ）に示す、隣り合う小型の上網片５２１、５２１同士の間に形成された隙間５２２から掃除用網５３を取り出すことになる。具体的には、図１６（ｂ）に示すように、掃除用網５３の一方の端部５３１側の固定位置５３３、５３３と掃除用網５３の他方の端部５３１側の固定位置５３４、５３４とにある針金を解き、掃除用網５３を矢印Ａ方向へ移動して、隙間５２２の間に出ていた掃除用網５３の一方の端部５３１を小型の上網片５２１上へ乗り上げて行き、小型の上網片５２１上に掃除用網５３を載せることで掃除用網５３を取り出すことになる。掃除用網５３には、枯葉等のごみが載っているので掃除用網５３を二層構造の網部５から取り出すことで二層構造の網部５から枯葉等のごみを除去することが可能になる。そして、掃除用網５３から枯葉等を含むゴミを除去した後、掃除用網５３を隙間５２２により二層構造の網部５内へ戻し、再び上網部５２に針金で固定することになる。
【００９４】
本例では、図１１から図１６に示すように、長尺材３の長手方向に沿って二列に隣接して並んだ植栽基盤１、１の列を水平方向より挟み込むように二層構造の網部５を設けるとともに、植栽基盤１、１の列同士の間に第三押え材８を配置して植栽基盤１、１の列同士を連結することで通路を設ける構造について示している。ただし、必ずしも長尺材３の長手方向に沿って二列に隣接して並んだ植栽基盤１、１の列を両側から水平方向より挟み込むように二層構造の網部５を設ける必要はなく、長尺材３の長手方向に沿って二列に隣接して並んだ植栽基盤１、１の列に片側から水平方向より二層構造の網部５を設けることも可能である。長尺材３の長手方向に沿って二列に隣接して並んだ植栽基盤１、１の列に片側から水平方向より二層構造の網部５を設ける場合でも二層構造の網部５側と植栽基盤１の列との連結は、長尺材３の長手方向に沿って二列に隣接して並んだ植栽基盤１、１の列を両側から水平方向より挟み込む場合と同様に、例１と同様にして行われている。
【００９５】
長尺材３の長手方向に沿って二列に隣接して並んだ植栽基盤１、１の列に片側から水平方向より二層構造の網部５を設ける場合の一つの例が図１７に示されている。図１７では、接続金具２が、構造物の屋上面１００上に所定の間隔で複数列平行に配置されている（図１７では、接続金具２が四列平行に配置されている）。各列では、図２４に示すように、間隔をあけて複数の接続金具２が配置されて、接続金具２の列が形成されている。特に、図１７では、構造物の屋上面１００の縁部１００ａである壁部に隣接して接続金具２の列が一列形成されている。そして、接続金具２の構造物の屋上面１００への固定は長尺材３の長手方向に沿って二列に隣接して並んだ植栽基盤１、１の列に片側から水平方向より挟み込む場合と同様して行われている。
【００９６】
ここでも、接続金具２は、基本的には、例１で用いた接続金具２と同じである。接続金具２（の上面部２２）のボルト部２３及び植栽基盤１、１に挟み込まれる、長尺材３を配置することになる接続金具２の凸部であるボルト部２４は、図１７に示すように、図１１と同じである。構造物の屋上面１００上に所定の間隔で四列に平行に配置された接続金具２の列の内、植栽基盤１、１に挟み込まれる、長尺材３を配置することになる接続金具２の列には、例１と同一の長尺材３が配置されている。そして、植栽基盤１、１に挟み込まれる長尺材３を配置することになる接続金具２の列に隣り合う一方の接続金具２の列には、下網部５１の縁部５１ａの網目がボルト部２３を通り、下網部５１の縁部５１ａ側を接続金具２の上面部２２に載置されて配置されている。
【００９７】
植栽基盤１、１に挟み込まれる長尺材３を配置することになる接続金具２の列に下網部５１が載置されて配置されることで、下網部５１により、二列に並んだ接続金具２、２同士の間（植栽基盤１、１に挟み込まれる長尺材３を配置することになる接続金具２の列に隣り合う一方の接続金具２の列に対向した別の接続金具２との間）を被うことになる。そして、下網部５１の縁部５１ａ、５１ａ側が対向する接続金具２、２の上面部２２（植栽基盤１、１に挟み込まれる長尺材３を配置することになる接続金具２の列に隣り合う一方の接続金具２の列と、植栽基盤１、１に挟み込まれる長尺材３を配置することになる接続金具２の列に隣り合う一方の接続金具２の列に対向した別の接続金具２との間）に載置されることで、接続金具２の上面部２２から伸びるボルト部２３が下網部５１の縁部５１ａ側の網目を通り抜け、下網部５１の保持及び位置決めが行われている。このように下網部５１が配置されることで、下網部５１は構造物の屋上面１００に沿う方向に設けられることになる（下網部５１は構造物の屋上面１００に対して平行に設けられることになる）。
【００９８】
そして、構造物の屋上面１００に一列に設けられた接続金具２の上には、それぞれ例１と同一の長尺材３が配置されている。接続金具２への長尺材３の配置は、図１７に示すように、例１と同様に、接続金具２の上面部２２に長尺材３の底面部３４、３４を載せて、接続金具２に対して垂直方向に伸びるボルト部２３の先端側を長尺材３の突出部３２の先端３２ａに設けられた孔部３３から突き出ている。
【００９９】
このように、図１７では、接続金具２上に長尺材３を配置して、構造物の屋上面１００に長尺材３が四列並べられている。長尺材３がこのように並べられることで、図１７に示す植栽基盤１、１に挟み込まれる、接続金具２の列に配置された長尺材３と、植栽基盤１、１に挟み込まれる長尺材３を配置することになる接続金具２の列の両側の接続金具２、２の列に配置された長尺材３、３とは対向している。そのため、接続金具２、２に載った、対向する長尺材３、３により、長尺材３、３の長手方向の、底面部３４、３４と突出部３２、３２と形成される角部３５、３５が向き合う（対向する）ことで、角部３５、３５が植栽基盤１の底面部１３の縁部１３ａ側を支持することが可能になっている。そして、対向する長尺材３、３の角部３５、３５に植栽基盤１が載置されている。
【０１００】
そして、例１と同様に、植栽基盤１は、長尺材３、３の長手方向に沿って複数、長尺材３、３の角部３５、３５に載置されている（配置されている）。つまり、植栽基盤１は三列の長尺材３の長手方向に沿って、長尺材３、３同士の間に複数載置されることで（配置されることで）、長尺材３の長手方向に沿って、二列に隣接して並んだ植栽基盤１、１の列が形成されることになる。二列に隣接して並んだ植栽基盤１、１の列の形成は長尺材３の長手方向に沿って二列に隣接して並んだ植栽基盤１、１の列を両側から水平方向より挟み込むように二層構造の網部５を設ける構造と同じである（図１２（ａ）及び図１２（ｂ）参照）。
【０１０１】
そして、図１７に示すように、接続金具２の列同士の間（植栽基盤１、１に挟み込まれる長尺材３を配置することになる接続金具２の列に隣り合う一方の接続金具２の列と、植栽基盤１、１に挟み込まれる長尺材３を配置することになる接続金具２の列に隣り合う一方の接続金具２の列に対向した別の接続金具２との間）に設けられた下網部５１と重なり合うようにして上網部５２が設けられている。図１７に示すように、下網部５１上に配置された長尺材３から突き出たボルト部２３の列同士の間に、上網部５２が長尺材３の先端２３ａを被うようにして配置されている。上網部５２は、図１７に示すように、下網部５１と同様に、上網部５２の、長尺材３の長手方向となる、一列に並んだ、接続金具２から伸びるボルト部２３の列に対応する上網部５２の縁部５２ａ、５２ａ側の網目が、接続金具２、２のボルト部２３、２３（植栽基盤１、１に挟み込まれる長尺材３を配置することになる接続金具２のボルト部２４の列に隣り合う一方の接続金具２のボルト部２３の列と、植栽基盤１、１に挟み込まれる長尺材３を配置することになる接続金具２のボルト部２４の列に隣り合う一方の接続金具２のボルト部２３の列に対向した別の接続金具２のボルト部２３の列と）を通り、上網部５２の縁部５２ａ、５２ａ側を長尺材３、３の先端３２ａ、３２ａ（植栽基盤１、１に挟み込まれる長尺材３に隣り合う一方の接続金具２の列に載置された長尺材３の先端３２ａと、植栽基盤１、１に挟み込まれる長尺材３に隣り合う一方の接続金具２の列に載置された長尺材３に対向した別の接続金具２の列に載置された長尺材３の先端３２ａと）に載置されて配置されている。
【０１０２】
つまり、図１７に示すように、上網部５２は、二列に並んだ長尺材３、３同士の間（植栽基盤１、１に挟み込まれる長尺材３に隣り合う一方の接続金具２の列に載置された長尺材３と、植栽基盤１、１に挟み込まれる長尺材３に隣り合う一方の接続金具２の列に載置された長尺材３に対向した別の接続金具２の列に載置された長尺材３と）を被い、上網部５２の縁部５２ａ、５２ａ側が対向する長尺材３、３の先端３２ａ、３２ａに載置されることで、接続金具２の上面部２２から伸びるボルト部２３が上網部５２の縁部５２ａ側の網目を通り抜け、上網部５２の保持及び位置決めが行われている。このように上網部５２が配置されることで、上網部５２は構造物の屋上面１００に沿う方向に設けられることになる（上網部５２は構造物の屋上面１００に対して平行に設けられることになる）。その結果、上網部５２は下網部５１に対向して重なり合い、下網部５１と上網部５２とが対向して空間５２３が形成されている。以上のようにして、例１と同様にして、複数配置された植栽基盤１、１の列同士の間には、下網部５１と上網部５２とからなる二層構造の網部５が設けられている。
【０１０３】
そして、長尺材３の長手方向に沿って二列に隣接して並んだ植栽基盤１、１の列を両側から水平方向より挟み込む場合と同様に、上網部５２の縁部５２ａ側の網目を通り抜け突き出したボルト部２３には固定部材であるナット７１が螺合されて、下網部５１の縁部５１ａ側、長尺材３及び上網部５２の縁部５２ａ側が接続金具２側に固定されている。また、例１と同様に、複数配置された植栽基盤１の列と隣接する長尺材３（接続金具２から伸びるナット７１から突き出したボルト部２３）とを連結するために、第二押え材６が配置されている。第二押え材６は、例１と同様に、長手方向の長さが長尺材３の長手方向の長さとが略同一となっている。そして、植栽基盤１が、例１と同様に、略四角錐台の形状をなし植栽基盤１の側面部１４が傾斜している。
【０１０４】
第二押え材６が配置されることで、植栽基盤１の側面部１４に沿って伸びた第二押え材６の伸長部６２より植栽基盤１の上面部１１上に載り、上面部１１と平行に第二押え材８の平面部６３が植栽ポット１２に向かって伸びている。そして、長尺材３の長手方向に沿って二列に隣接して並んだ植栽基盤１、１の列を両側から水平方向より挟み込む場合と同様に、平面部６１の植栽基盤１側に設けられた孔部６４からは、接続金具２から伸びるボルト部２３が突き出ており、このボルト部２３に通された座金７３は平面部６１上に載置されている。座金７３より突き出たボルト部２３にナット７２を螺合することで第二押え材６を上網部５２及び植栽基盤１側に固定して植栽基盤１の側面部１４を第二押え材６により押さえることになる。
【０１０５】
以上のようにして、長尺材３の長手方向に沿って二列に隣接して並んだ植栽基盤１、１の列に片側から水平方向より二層構造の網部５を設けた構成となっている。長尺材３の長手方向に沿って二列に隣接して並んだ植栽基盤１、１の列に片側から水平方向より二層構造の網部５を設ける構成においても、長尺材３の長手方向に沿って二列に隣接して並んだ植栽基盤１、１の列を水平方向より挟み込むように二層構造の網部５を設ける構成と同様に、図１７に示すように、ボルト部２４に座金７３が通されナット７２が螺合され長尺材３は接続金具２に固定されている。そして、第三押え材８についても長尺材３の長手方向に沿って二列に隣接して並んだ植栽基盤１、１の列を水平方向より挟み込むように二層構造の網部５を設ける構成と同様に取り付けられることで、二列に隣接して並んだ植栽基盤１、１の列同士の間に第三押え材８を配置して植栽基盤１、１の列同士を連結するとともに通路を設けることになる。
【０１０６】
長尺材３の長手方向に沿って二列に隣接して並んだ植栽基盤１、１の列に片側から水平方向より二層構造の網部５を設ける構成においても、長尺材３の長手方向に沿って二列に隣接して並んだ植栽基盤１、１の列を水平方向より挟み込むように二層構造の網部５を設ける構成と同様に、図１８に示すように、二層構造の網部５内には、第三掃除用網である掃除用網５３を配置することも可能である。図１８に示す掃除用網５３は、長尺材３の長手方向に沿って二列に隣接して並んだ植栽基盤１、１の列を水平方向より挟み込むように二層構造の網部５を設ける構成と同様の掃除用網５３である。ただし、図１８では、長尺材３の長手方向に沿って二列に隣接して並んだ植栽基盤１、１の列に片側から水平方向より二層構造の網部５を設けているため、片側から水平方向に設けた二層構造の網部５内に配置されている。
【０１０７】
図１８においても、二層構造の網部５内の空間５２３に配置された掃除用網５３は、二層構造の網部５内の空間５２３に配置されることで、下網部５１に対向するとともに、上網部５２に対向しており、長尺材３の長手方向に沿って二列に隣接して並んだ植栽基盤１、１の列を水平方向より挟み込むように二層構造の網部５を設ける構成と同様に、掃除用網５３の取り外しを考慮に入れて、図１９（ａ）に示すように、上網部５２の縁部５２ａ、５２ａ側と、上網部５２の縁部５２ａ、５２ａ側と対向する掃除用網５３の縁部５３ａ、５３ａ側との複数箇所で上網部５２の縁部５２ａ、５２ａ側と掃除用網５３の縁部５３ａ、５３ａ側を針金で縛って固定している。そして、上網部５２の縁部５２ａ、５２ａ側と掃除用網５３の縁部５３ａ、５３ａ側との固定が行われる固定位置５３３、５３４、５３５、・・・についても図１５（ａ）に示すように、図１９（ａ）に示すように、第二押え材６の長手方向（上網部５２の縁部５２ａ、５２ａ及び掃除用網５３の縁部５３ａ、５３ａ）に沿って複数形成されている。
【０１０８】
そして、掃除用網５３を二層構造の網部５の中から取り出すには、長尺材３の長手方向に沿って二列に隣接して並んだ植栽基盤１、１の列に片側から水平方向より二層構造の網部５を設ける構成においても、長尺材３の長手方向に沿って二列に隣接して並んだ植栽基盤１、１の列を水平方向より挟み込むように二層構造の網部５を設ける構成と同様に、固定位置５３３、５３４、５３５、・・・に取り付けられた針金を解き（掃除用網５３から針金を取り除き）、掃除用網５３を矢印Ａ方向へ移動して、掃除用網５３を二層構造の網部５の外に出す。掃除用網５３には、枯葉等のごみが載っているので掃除用網５３を二層構造の網部５から取り出すことで二層構造の網部５から枯葉等のごみを除去することが可能になる。そして、掃除用網５３から枯葉等を含むゴミを除去した後、掃除用網５３の他方の端部に取り付けられた引戻し紐５６、５６を引っ張り、掃除用網５３を二層構造の網部５内へ戻し（挿入し）、再び上網部５２の、第二押え材（長尺材３）６側である、上網部５２の縁部５２ａ、５２ａ側と対向する掃除用網５３の縁部５３ａ、５３ａ側を上網部５２の縁部５２ａ、５２ａ側で複数箇所（固定位置５３３、５３４、５３５、・・・）を針金で縛ることになる。
【０１０９】
また、長尺材３の長手方向に沿って二列に隣接して並んだ植栽基盤１、１の列に片側から水平方向より二層構造の網部５を設ける構成においても、長尺材３の長手方向に沿って二列に隣接して並んだ植栽基盤１、１の列を水平方向より挟み込むように二層構造の網部５を設ける構成と同様に、上網部５２は、図２０に示すように、下網部５１（長尺材３）の長手方向に沿って一つの上網部５２を配置するのとは異なり、第二網片である小型の上網片５２１を下網部５１（長尺材３）の長手方向に沿って、ボルト部２３、２３の列同士の間に一列に複数配置することで上網部５２の形成を行うことも可能である。
【０１１０】
長尺材３の長手方向に沿って二列に隣接して並んだ植栽基盤１、１の列に片側から水平方向より二層構造の網部５を設ける構成においても、長尺材３の長手方向に沿って二列に隣接して並んだ植栽基盤１、１の列を水平方向より挟み込むように二層構造の網部５を設ける構成と同様の小型の上網片５２１を用いており、長尺材３の長手方向に沿って二列に隣接して並んだ植栽基盤１、１の列を水平方向より挟み込むように二層構造の網部５を設ける構成と同様に小型の上網片５２１は、下網部５１の縁部５１ａ、５１ａ側の網目から突き出たボルト部２３、２３の列の長手方向に沿って、隣り合う小型の上網片５２１、５２１同士の間には隙間５２２を形成して複数配置されている（図２０（ａ）参照）。長尺材３の長手方向に沿って二列に隣接して並んだ植栽基盤１、１の列を水平方向より挟み込むように二層構造の網部５を設ける構成と同様に、複数の小型の上網片５２１からなる上網部５２は、図２０（ｂ）に示すように、上網部５２の縁部５２ａ、５２ａ側が対向する長尺材３の先端３２ａ、３２ａ上に載置されることで、上網部５２は構造物の屋上面１００に沿う方向に設けられることになり（上網部５２は構造物の屋上面１００に対して平行に設けられることになり）、上網部５２は下網部５１に対向して重なり合うようになっている。以上のようにして、下網部５１と上網部５２とからなる二層構造の網部５が設けられている。
【０１１１】
そして、長尺材３の長手方向に沿って二列に隣接して並んだ植栽基盤１、１の列に片側から水平方向より二層構造の網部５を設ける構成においても、長尺材３の長手方向に沿って二列に隣接して並んだ植栽基盤１、１の列を水平方向より挟み込むように二層構造の網部５を設ける構成と同様に、ナット７１及び第二押え材６が配置されることで複数配置された植栽基盤１の列と隣接する長尺材３が連結されている。そして、二層構造の網部５内には、第二掃除用網である掃除用網５３を配置することも可能であり、図１８では、二層構造の網部５内に掃除用網５３を配置した状態が示してある。図１８で用いる掃除用網５３は長尺材３の長手方向に沿って二列に隣接して並んだ植栽基盤１、１の列を水平方向より挟み込むように二層構造の網部５を設ける構成で用いた掃除用網５３と同様である。
【０１１２】
つまり、長尺材３の長手方向に沿って二列に隣接して並んだ植栽基盤１、１の列に片側から水平方向より二層構造の網部５を設ける構成において用いる、下網部５１と上網部５２との間に挟み込む第二掃除用網である掃除用網５３は、小型の上網片５２１と対向して重なり合うように配置されており、掃除用網５３の（一方の）端部５３１側は、図２０（ｂ）に示すように、隣り合う小型の上網片５２１、５２１同士の間に形成された隙間５２２から出ている。つまり、掃除用網５３の（一方の）端部５３１側は隣り合う小型の上網片５２１、５２１同士の間の位置になるように配置されている（図２０（ａ）参照）。配置に際しては、掃除用網５３の取り外しを考慮に入れて、図２０（ｂ）に示すように、上網部５２の縁部５２ａ、５２ａ（小型の上網片５２１の縁部５２１ａ、５２１ａ）側と対向する掃除用網５３の縁部５３ａ、５３ａ側で掃除用網５３の、一方の端部５３１側に針金で縛って固定位置５３３、５３３を形成し、上網部５２の縁部５２ａ、５２ａ（小型の上網片５２１の縁部５２１ａ、５２１ａ）側と対向する掃除用網５３の縁部５３ａ、５３ａ側で掃除用網５３の、他方の端部５３２側に針金で縛って固定位置５３４、５３４を形成している。
【０１１３】
以上のようにして、構造物の屋上面１００上に二列に並んだ植栽基盤１、１の列同士の間の二層構造の網部５の中に（二層構造の網部５である、下網部５１と上網部５２とで挟み込んで）掃除用網５３を設けることになる。そして、掃除用網５３を取り出す際には、図２０（ｂ）に示す、隣り合う小型の上網片５２１、５２１同士の間に形成された隙間５２２から掃除用網５３を取り出すことになる。具体的には、図２０（ｂ）に示すように、掃除用網５３の一方の端部５３１側の固定位置５３３、５３３と掃除用網５３の他方の端部５３１側の固定位置５３４、５３４とにある針金を解き、掃除用網５３を矢印Ａ方向へ移動して、隙間５２２の間に出ていた掃除用網５３の一方の端部５３１を小型の上網片５２１上へ乗り上げて行き、小型の上網片５２１上に掃除用網５３を載せることで掃除用網５３を取り出すことになる。掃除用網５３には、枯葉等のごみが載っているので掃除用網５３を二層構造の網部５から取り出すことで二層構造の網部５から枯葉等のごみを除去することが可能になる。そして、掃除用網５３から枯葉等を含むゴミを除去した後、掃除用網５３を隙間５２２により二層構造の網部５内へ戻し、再び上網部５２に針金で固定することになる。
【０１１４】
図１７及び図１８では、構造物の屋上面１００の縁部１００ａである壁部がある場合を例にして、長尺材３の長手方向に沿って二列に隣接して並んだ植栽基盤１、１の列に片側（一方の側）から水平方向より二層構造の網部５を設ける構造について示しているが、必ずしも、長尺材３の長手方向に沿って二列に隣接して並んだ植栽基盤１、１の列に片側から水平方向より二層構造の網部５を設ける構造は構造物の屋上面１００の縁部１００ａである壁部がある場合に限定されるものではない。例えば、構造物の屋上面１００全面にわたって緑化する必要がない場合、長尺材３の長手方向に沿って二列に隣接して並んだ植栽基盤１、１の列に片側（一方の側）に水平方向より二層構造の網部５を設け、他方の側に二層構造の網部５を設けず他方の側を空間としておくことも可能である。
【０１１５】
（例３）
例３では、構造物の屋上面１００上に二列に並んだ植栽基盤１、１の列同士の間の二層構造の網部５の中に（二層構造の網部５である、下網部５１と上網部５２との間に挟み込んで）掃除用網５３を設ける構造について説明する。例３では、例１及び例２で用いた部材と同じ部材については同じ参照番号を用いて示してある。また、例３では、例１及び例２と異なる、二列に隣接して並んだ植栽基盤１、１の列同士の間に二層構造の網部５を設けるに際して、スペーサー７４及び掃除用網５３を設ける構造について中心に説明する。
【０１１６】
接続金具２は、図２１（ａ）に示すように、構造物の屋上面１００上に所定の間隔で二列に平行に配置されている。各列では、図２８に示すように、間隔をあけて複数の接続金具２が配置されて、接続金具２の列が形成されている。接続金具２の列は、構造物の屋上面１００に長尺材３を配置するために、長尺材３の長手方向に沿うように、真っ直ぐに一列に並べられており、対向する接続金具２の列同士では、接続金具２、２同士が対向している。構造物の屋上面１００への接続金具２の配置では、接続金具２の下面部２１を例１と同様にして構造物の屋上面１００へ固定している。
【０１１７】
例３で用いる接続金具２は、基本的には、例１で用いた接続金具２と同じである。ただし、接続金具２（の上面部２２）に対して垂直方向に伸びて設けられている凸部であるボルト部２６は、図２１（ｂ）に示すように、長尺材３の突出部３２を突き出て、さらにスペーサー７４を突き出る必要があるため例１及び例２に示すボルト部２３より長い。また、構造物の屋上面１００上には図示していない、少なくとも植栽基盤１を配置するために、図２１（ａ）に示す二列の接続金具２の列の他に二列の接続金具２の列に平行な接続金具２の列が複数設けられている。
【０１１８】
図２１（ａ）に示すように、構造物の屋上面１００に配置された接続金具２の列同士の間には二層構造の網部５の下網部５１が設けられて、下網部５１が二例の接続金具２の列同士の間に挟み込まれて配置されている。構造物の屋上面１００上に配置された接続金具２の列同士の間に下網部５１が配置されることで、下網部５１が接続金具２の列同士を被っている。下網部５１は、下網部５１の、長尺材３の長手方向となる一列に並んだ接続金具２の列に対して交差する方向の下網部５１の縁部５１ａ、５１ａ側の網目が、接続金具２、２のボルト部２６、２６を通り、下網部５１の縁部５１ａ、５１ａ側を接続金具２、２の上面部２２、２２に載置されて配置されている。
【０１１９】
そして、図２１（ａ）に示すように、下網部５１は、二列に並んだ接続金具２、２同士の間を被い、下網部５１の縁部５１ａ、５１ａ側が対向する接続金具２、２の上面部２２、２２に載置されることで、接続金具２、２の上面部２２、２２から伸びるボルト部２６、２６が下網部５１の縁部５１ａ、５１ａの網目を通り抜け、下網部５１の保持及び位置決めが行われている。このように下網部５１が配置されることで、下網部５１は構造物の屋上面１００に沿う方向に設けられることになる（下網部５１は構造物の屋上面１００に対して平行に設けられることになる）。
【０１２０】
下網部５１が配置された接続金具２、２の列には、図２１に示すように、例１及び例２と同一の長尺材３が配置されている。構造物の屋上面１００上に、複数配置された接続金具２の上面部２２に、長尺材３の長手方向に沿って、長尺材３の底面部３４、３４を載せると、図２１（ｂ）に示すように、接続金具２のボルト部２６の先端側が長尺材３の突出部３２の先端３２ａの孔部３３から突き出すことになる。そして、本例では、図２１（ｂ）に示すように、両端側の接続金具２の列の上に配置された長尺材３の突出部３２の孔部３３から突き出したボルト部２６には、下網部５１と上網部５２との距離を長くするための部材としてスペーサー７４が取り付けられている。
【０１２１】
スペーサー７４は、図２１（ｂ）に示すように、円筒状の部材であり、スペーサー７４の中心孔７４１にはボルト部２６と螺合可能な雌ねじ部が形成されている。スペーサー７４は、ボルト部２６と螺合してスペーサー７４の端面７４２が長尺材３の突出部３２の先端３２ａと当接しており、スペーサー７４の端面７４３側からはボルト部２６（の先端側）が突き出ている。このようにして、長尺材３の上にスペーサー７４が配置されている。そして、スペーサー７４の端面７４３側にはスペーサー用平板７５が載置されている。スペーサー用平板７５は、長方形形状の板部材であり、長尺材３の長手方向の長さと略同一になっている。長尺材３の長手方向に沿う中央には孔部７５１が形成されており、孔部７５１は、長尺材３の長手方向に沿って構造物の屋上面１００に設けられた接続金具２から伸びるボルト部２６の位置に対応して形成されている。
【０１２２】
図２１（ｂ）に示すように、スペーサー７４の端面７４３側から突き出たボルト部２６（の先端側）がスペーサー用平板７５の孔部７５１を通り、スペーサー用平板７５はスペーサー７４の端面７４３上に載置されることでスペーサー用平板７５が配置されている。スペーサー用平板７５、７５同士の間には、接続金具２の列同士の間に設けられた下網部５１と対向して重なり合うようにして上網部５２が設けられている。本例では、上網部５２は、図２２に示すように、下網部５１（長尺材３）の長手方向に沿って一つの上網部５２を配置するのとは異なり、第二網片である小型の上網片５２１を下網部５１（長尺材３）の長手方向に沿って、ボルト部２６、２６の列同士の間に一列に複数配置することで上網部５２の形成が行われている。
【０１２３】
小型の上網片５２１は例１及び例２の上網部５２と同一の網目の大きさであり、また、小型の上網片５２１は、図２２に示すように、略正方形形状をなしているが、略長方形形状をなすことも可能である。また、隣り合う小型の上網片５２１、５２１同士の間には隙間５２２が形成されている。つまり、小型の上網片５２１は、ボルト部２６、２６の列の長手方向に沿って、隣り合う小型の上網片５２１、５２１同士の間には隙間５２２を形成して複数配置されている。つまり、小型の上網片５２１は、図２１（ｂ）に示すように、スペーサー用平板７５、７５の孔部７５１、７５１から突き出たボルト部２６、２６の列同士の間に、隙間５２２を形成してスペーサー用平板７５、７５を被うようにして載置されている（図２２参照）。
【０１２４】
小型の上網片５２１の縁部５２１ａ、５２１ａ側の網目が、下網部５１と同様に、一列に並んだ、スペーサー用平板７５、７５の孔部７５１、７５１から突き出たボルト部２６、２６の列を通ることで、小型の上網片５２１の縁部５２１ａ、５２１ａ側がスペーサー用平板７５、７５に載置されている（図２２参照）。載置された小型の上網片５２１と隙間５２２を経て、同じように、小型の上網片５２１は、小型の上網片５２１の縁部５２１ａ、５２１ａ側の網目が、スペーサー用平板７５、７５の孔部７５１、７５１から突き出たボルト部２６、２６を通して、小型の上網片５２１の縁部５２１ａ、５２１ａ側をスペーサー用平板７５、７５に載置する、ということを複数の小型の上網片５２１についても行うことで複数の小型の上網片５２１がスペーサー用平板７５、７５に載置されることで上網部５２がスペーサー用平板７５、７５に配置されている。
【０１２５】
上網部５２は、図２１（ａ）に示すように、スペーサー用平板７５、７５同士の間を被い、上網部５２の縁部５２ａ、５２ａ側が対向するスペーサー用平板７５、７５上に載置されることで、接続金具２の上面部２２から伸びるボルト部２６が上網部５２の縁部５２ａ側の網目を通り抜け、上網部５２の保持及び位置決めが行われている。このように上網部５２が配置されることで、上網部５２は構造物の屋上面１００に沿う方向に設けられることになり（上網部５２は構造物の屋上面１００に対して平行に設けられることになり）、上網部５２は下網部５１に対向して重なり合うようになっている。以上のようにして、下網部５１と上網部５２とからなる二層構造の網部５が設けられている。
【０１２６】
そして、長尺材３、３の、二層構造の網部５が設けられた（配置された）角部３５、３５側とは反対の角部３５、３５側の、複数の植栽基盤１が載置されて（配置されて）植栽基盤１、１の列と、上網部５２の縁部５２ａ、５２ａとの間には、図２１に示すように、第四押え材６５が取り付けられている。つまり、複数配置された植栽基盤１の列と隣接する長尺材３（接続金具２から伸びる上網部５２から突き出したボルト部２６）とを連結するために、第二押え材６が配置されることになる。本例では、第二押え材６の代わりに第四押え材６５が配置されているが、実質的には第二押え材６が配置されたことと同じである。第四押え材６５は、基本的に第二押え材６と同じ形状をなしており、第二押え材６と同様に、長手方向の長さが長尺材３の長手方向の長さとが略同一となっている。
【０１２７】
つまり、第二押え材６の平面部６３が第四押え材６５の平面部６５３に対応し、第二押え材６の伸長部６２が第四押え材６５の伸長部６５２に対向し、第二押え材６の平面部６１が第四押え材６５の平面部６５１に対応し、第二押え材６の孔部６４が第四押え材６５の孔部６５４に対応している。そして、第四押え材６５と第二押え材６との相違は第四押え材６５の伸長部６５２が第二押え材６の伸長部６２より短いことである。これは、本例では、長尺材３にスペーサー７４を載置する構造をとっているため、スペーサー７４と植栽基盤１とを結ぶ距離が短くなり、第二押え材６の伸長部６２より第四押え材６５の伸長部６５２を短くしたことによるものである。それ故、伸長部６２を短して第四押え材６５の伸長部６５２と同じにすれば第二押え材６は第四押え材６５と同一になる。本例においては第四押え材６５を用いて説明しているが、伸長部６５を短くした第二押え材６を用いても同じである。
【０１２８】
この第四押え材６５は、図２１（ｂ）に示すように、本例の植栽基盤１が略四角錐台の形状をなし、植栽基盤１の、傾斜した側面部１４に沿って伸長部６５２が伸びており、伸長部６５２の一方の端部側より（折れ曲がり）植栽基盤１の上面部１１上に（載り）、上面部１１と平行に平面部６５３が植栽ポット１２へ伸びている。また、伸長部６５２の他方の端部側より（折れ曲がり）上網部５２の縁部５２ａ側上に、上網部５２に沿って伸びる平面部６５１が形成されている。平面部６５１には、孔部６５４が設けられており、接続金具２から伸びるボルト部２６が孔部６５４から突き出ている。この孔部６５４から突き出ているボルト部２６に通された座金７３は平面部６５１上に載置されており、座金７３より突き出したボルト部２６にナット７２を螺合している。
【０１２９】
ナット７２を螺合することで第四押え材６５を上網部５２及び植栽基盤１側に固定することで植栽基盤１の側面部１４を押さえている。また、第四押え材６５の代わりに伸長部６２の長さが第四押え材６５の伸長部６５２と同じ第二押え材６を用いれば、図２１（ｂ）に示すように、植栽基盤１の、傾斜した側面部１４に沿って伸長部６２が伸び、伸長部６２の一方の端部側より（折れ曲がり）植栽基盤１の上面部１１上に（載り）、上面部１１と平行に平面部６３が植栽ポット１２へ伸び、また、伸長部６２の他方の端部側より（折れ曲がり）上網部５２の縁部５２ａ側上に、上網部５２に沿って伸びる平面部６１が形成され、平面部６５１には、孔部６４が設けられ、接続金具２から伸びるボルト部２６が孔部６４から突き出ている。この孔部６４から突き出ているボルト部２６に通された座金７３は平面部６１上に載置されており、座金７３より突き出したボルト部２６にナット７２を螺合することで第四押え材６５を上網部５２及び植栽基盤１側に固定し、植栽基盤１の側面部１４を押さえることになる。
【０１３０】
以上のようにして、第四押え材６５、或いは第二押え材６が配置されることにより、下網部５１の縁部５１ａ側、長尺材３、スペーサー７４、及び上網部５２の縁部５２ａ側を配置された接続金具２と植栽基盤１とが連結されている。以上のようにして、一列に並べた植栽基盤１同士の間に二層構造の網部５が設けられている。
【０１３１】
本例では、図２１に示すように、二層構造の網部５である、下網部５１と上網部５２との間に掃除用網５３が挟み込まれている。本例で用いる掃除用網５３は樹脂製であり、網目の大きさは１ｍｍ×１ｍｍの正方形の網目であり、下網部５１の網目と同じ大きさである。掃除用網５３の網目は下網部５１の網目と同じ大きさであれば１ｍｍ×１ｍｍの大きさに限定されることなく、例えば、１ｍｍから５ｍｍの正方形、或いは長方形の網目で、ごみが下網部５１へ落ちないで、しかも風が通る程度の網目の大きさが確保できていればよく、網目の形状は特に問わない。
【０１３２】
また、例３における掃除用網５３は、例１に示す掃除用網５３と同様に、掃除用網５３を形成する、長尺材３の長手方向に沿う縦糸５４と、掃除用網５３を形成する、長尺材３の長手方向と交差する横断方向に沿う横糸５５とが交差して形成されている。そして、例３における掃除用網５３では、横糸５５及び縦糸５４は同じ素材で成形されているが、例１における掃除用網５３と同様に、横糸５５は容易に折れ曲がらない強度を有する素材、例えば、樹脂、金属で成形されており、これに対して、縦糸５４は柔軟性に富んだ素材、例えば、繊維等で成形することも可能である。また、例３における掃除用網５３では、例１における掃除用網５３とは異なり引戻し紐５６、５６を取り付けていないが、例１における掃除用網５３と同様に、掃除用網５３の他方の端部５３２に、掃除用網５３の縁部５３ａ、５３ａ側に二本の引戻し紐５６、５６を取り付けることも可能である。
【０１３３】
下網部５１と上網部５２との間に挟み込む第二掃除用網である掃除用網５３は、小型の上網片５２１と対向して重なり合うように配置されている。図２２に示すように、掃除用網５３は小型の上網片５２１と略同一の略正方形形状をなしている。ただし、掃除用網５３の形状は略正方形形状に限定されることなく、小型の上網片５２１の形状と略同一形状をとることになる。例えば、小型の上網片５２１が略長方形形状であれば、掃除用網５３は小型の上網片５２１は略同一形状の略長方形形状をとることになる。掃除用網５３は、小型の上網片５２１と同様に、小型の上網片５２１と対向して重なり合うようにして、第四押え材（長尺材３）６５の長手方向に沿って複数配置されている。また、掃除用網５３の（一方の）端部５３１側は、図２２に示すように、隣り合う小型の上網片５２１、５２１同士の間に形成された隙間５２２から出ている。つまり、掃除用網５３の（一方の）端部５３１側は隣り合う小型の上網片５２１、５２１同士の間の位置になるように配置されている（図２３（ａ）参照）。
【０１３４】
図２１及び図２２に示すように、掃除用網５３は、下網部５１と上網部５２との間に配置されており、配置に際しては、掃除用網５３の取り外しを考慮に入れて、上網部５２の、第四押え材（長尺材３）６５側である上網部５２の縁部５２ａ、５２ａ側と、上網部５２の縁部５２ａ、５２ａ側と対向する掃除用網５３の縁部５３ａ、５３ａ側を針金で縛って固定している。具体的には、図２３（ｂ）に示すように、上網部５２の縁部５２ａ、５２ａ側と、上網部５２の縁部５２ａ、５２ａ側と対向する掃除用網５３の縁部５３ａ、５３ａ側で掃除用網５３の一方の端部５３１側に固定位置５３３、５３３が形成されている。図２３（ｂ）に示すように、小型の上網片５２１上に固定位置５３３、５３３が形成されることになる。また、図２３（ｂ）に示すように、上網部５２の、第四押え材（長尺材３）６５側である上網部５２の縁部５２ａ、５２ａ側と、上網部５２の縁部５２ａ、５２ａ側と対向する掃除用網５３の縁部５３ａ、５３ａ側を針金で縛って固定している。具体的には、図２３（ｂ）に示すように、上網部５２の縁部５２ａ、５２ａ側と、上網部５２の縁部５２ａ、５２ａ側と対向する掃除用網５３の縁部５３ａ、５３ａ側で掃除用網５３の他方の端部５３２側に固定位置５３４、５３４が形成されている。図２３（ｂ）に示すように、小型の上網片５２１上に固定位置５３４、５３４が形成されることになる。
【０１３５】
ただし、掃除用網５３を上網部５３に固定する際に、針金で縛ることに限定されずフック状の部材を上網部５２の縁部５２ａ、５２ａ側と、上網部５２の縁部５２ａ、５２ａ側と対向する掃除用網５３の縁部５３ａ、５３ａとに引っ掛けることで下網部５１と上網部５２との間に掃除用網５３を固定して配置することも可能である。さらに、掃除用網５３の、一方の端部５３１側と他方の端部５３２側とを上網部５２に針金等で固定することに限定されず、例えば、掃除用網５３の一方の端部５３１側については、上網部５２の縁部５２ａ、５２ａ側に固定して、掃除用網５３の他方の端部５３２側については、隣りの掃除用網５３に重ね合わせることで順次、掃除用網５３をつなぐことで、掃除用網５３を下網部５１と上網部５２との間に、第四押え材（長尺材３）６５の長手方向に沿って複数配置することも可能である。
【０１３６】
以上のようにして、構造物の屋上面１００上に二列に並んだ植栽基盤１、１の列同士の間の二層構造の網部５の中に（二層構造の網部５である、下網部５１と上網部５２とで挟み込んで）掃除用網５３を設けることになる。そして、掃除用網５３を取り出す際には、図２３（ｂ）に示す、隣り合う小型の上網片５２１、５２１同士の間に形成された隙間５２２から掃除用網５３を取り出すことになる。具体的には、図２３（ｂ）に示すように、掃除用網５３の一方の端部５３１側の固定位置５３３、５３３と掃除用網５３の他方の端部５３１側の固定位置５３４、５３４とにある針金を解き、掃除用網５３を矢印Ａ方向へ移動して、隙間５２２の間に出ていた掃除用網５３の一方の端部５３１を小型の上網片５２１上へ乗り上げて行き、小型の上網片５２１上に掃除用網５３を載せることで掃除用網５３を取り出すことになる。掃除用網５３には、枯葉等のごみが載っているので掃除用網５３を二層構造の網部５から取り出すことで二層構造の網部５から枯葉等のごみを除去することが可能になる。
【０１３７】
（例４）
例４では、例３に示す二層構造の網部５が構造物の屋上面１００上に広く形成される場合に植栽基盤１等の管理のために人が通ることができる通路を設ける構造について説明する。例４では、例１乃至例３で用いた部材と同じ部材については同じ参照番号を用いて示してある。また、例４では、例１乃至例３と異なる、二列に並んだ植栽基盤１、１の列同士の間に二層構造の網部５を設けるに際して、二層構造の網部５上を通るための通路材（第一通路材８６、第二通路材８７）の構造について中心に説明する。
【０１３８】
接続金具２は、図２４（ａ）に示すように、構造物の屋上面１００上に所定の間隔で三列に平行に配置されている。各列では、図２４（ａ）に示すように、間隔をあけて複数の接続金具２が配置されて、接続金具２の列が形成されている。接続金具２の列は、構造物の屋上面１００に長尺材３を配置するために、長尺材３の長手方向に沿うように、真っ直ぐに一列に並べられており、対向する接続金具２の列同士では、接続金具２、２同士が対向している。構造物の屋上面１００への接続金具２の配置では、接続金具２の下面部２１を例１と同様にして構造物の屋上面１００へ固定している。
【０１３９】
例４で用いる接続金具２は、基本的には、例１で用いた接続金具２と同じである。ただし、接続金具２（の上面部２２）に対して垂直方向に伸びて設けられている凸部であるボルト部２７は、図２４に示すように、長尺材３の突出部３２を突き出て、さらにスペーサー７４を突き出る必要があるため例１及び例２に示すボルト部２３より長い。また、構造物の屋上面１００上には図示していない、少なくとも植栽基盤１を配置するために、図２４（ａ）に示す三列の接続金具２の列の他に三列の接続金具２の列に平行な接続金具２の列が複数設けられている。
【０１４０】
図２４（ａ）に示すように、構造物の屋上面１００上に配置されてた、三列の接続金具２の列の内、両側の接続金具２、２の列（外側の二列の接続金具２、２の列）同士の間は、二層構造の網部５の下網部５１を設けられる間隔になっている。また、三列の接続金具２の列の内、中央に配置された接続金具２の列は、両側の二列の接続金具２、２の列同士の間の中央に配置されている。本例では中央に配置された接続金具２の列は、両側の二列の接続金具２、２の列同士の間の中央に配置されているが、中央に配置された接続金具２の列は、両側の二列の接続金具２、２の列同士の間の中央に配置されることに限定されず、両側の二列の接続金具２、２の列のいずれか一方の接続金具２の列寄りに配置することも可能である。
【０１４１】
図２４（ａ）に示すように、構造物の屋上面１００に配置された、両端の接続金具２、２の列同士の間には下網部５１が設けられている。構造物の屋上面１００に配置された、両端の接続金具２、２の列同士の間に下網部５１が配置されることで、下網部５１が三列の接続金具２の列を被っている。下網部５１は、下網部５１の、両側の接続金具２の列に対して交差する方向である下網部５１の縁部５１ａ、５１ａ側の網目が、両側の接続金具２、２のボルト部２７、２７の列を通り、中央の接続金具２の列に対して下網部５１の中央側の網目が、中央の接続金具２のボルト部２７の列を通り、下網部５１の縁部５１ａ、５１ａ側を両側の接続金具２、２の上面部２２、２２に載置され、下網部５１の中央側を中央の接続金具２の上面部２２に載置されて下網部５１が配置されている。
【０１４２】
つまり、図２４（ａ）に示すように、下網部５１は、三列の内、両端の接続金具２、２の列同士の間を被い、下網部５１の縁部５１ａ、５１ａ側が両側の接続金具２、２の上面部２２、２２に載置されることで、両側の接続金具２、２の上面部２２、２２から伸びるボルト部２７、２７が下網部５１の縁部５１ａ、５１ａの網目を通り抜け、下網部５１の中央側が中央の接続金具２、２の上面部２２に載置されることで、中央側の接続金具２の上面部２２から伸びるボルト部２７が下網部５１の中央側の網目を通り抜けて下網部５１の保持及び位置決めが行われることで下網部５１が配置されている。このように下網部５１が配置されることで、下網部５１は構造物の屋上面１００に沿う方向に設けられることになる（下網部５１は構造物の屋上面１００に対して平行に設けられることになる）。
【０１４３】
下網部５１が配置された、三列に並んだ接続金具２の列には、図２４（ａ）に示すように、例１乃至例３と同一の長尺材３が配置されている。構造物の屋上面１００に、長尺材３の長手方向に沿うように、複数配置された接続金具２の上面部２２に長尺材３の底面部３４、３４を載せると、図２４（ａ）に示すように、接続金具２のボルト部２７の先端側が長尺材３の突出部３２の先端３２ａの孔部３３から突き出すことになる。そして、本例では、図２４（ａ）に示すように、三列で並んだ接続金具２の列の上に配置された長尺材３の突出部３２の孔部３３から突き出したボルト部２７には固定部材であるとともに、下網部５１と上網部５２との距離を長くするための部材としてスペーサー７４が設けられている。スペーサー７４は、例３で用いたスペーサー７４と同一である。
【０１４４】
例３と同様に、図２４（ａ）に示すように、スペーサー７４は、ボルト部２７と螺合してスペーサー７４の端面７４２が長尺材３の突出部３２の先端３２ａと当接しており、スペーサー７４の端面７４３側からはボルト部２７（の先端側）が突き出ている。このようにして、長尺材３の上にスペーサー７４が配置されている。そして、両側の接続金具２、２側では、例３と同様に、スペーサー７４の端面７４３側にはスペーサー用平板７５が載置されている。スペーサー用平板７５も、例３で用いたスペーサー用平板７５と同一である。例３と同様に、図２４（ｂ）に示すように、スペーサー７４の端面７４３側から突き出たボルト部２７（の先端側）がスペーサー用平板７５の孔部７５１を通り、スペーサー用平板７５はスペーサー７４の端面７４３上に載置されることでスペーサー用平板７５が配置されている。
【０１４５】
図２４（ａ）に示すように、三列の内、中央に配置された接続金具２の列の上に載置された長尺材３の先端３２ａの孔部３３から突き出ているボルト部２７に通された座金７３は先端３２ａ上に載置されており、座金７３より突き出したボルト部２７にナット７１を螺合している。ナット７１を螺合することで長尺材３を接続金具２に固定し、長尺材３を配置している。そして、図２４（ａ）に示すように、中央の長尺材３の上には第一通路材８６が載置されている。第一通路材８６は、図２６（ａ）に示すように、断面が逆Ｔ字状の形状をなした部材である。第一通路材８６は、図２５（ａ）に示すように、長尺材３の長手方向に沿って配置されることになる。本例では、第一通路材８６の長手方向の長さは、長尺材３の長手方向の長さと同じになっている。そして、第一通路材８６が長尺材３上に載置されることで、図２５（ａ）に示す、第一通路材８６の、長尺材３の長手方向に沿う側方端８６１、８６１側が長尺材３の底面部３４、３４に沿い底面部８６４、８６４が同一平面をなすことになる。
【０１４６】
ただし、第一通路材８６の長手方向の長さは、必ずしも長尺材３の長手方向の長さと同じである必要はなく、第一通路材８６の長手方向の長さを長尺材３の長手方向の長さよりも短くすることも可能である。その場合、第一通路材８６を長尺材３の長手方向に沿って配置すると、図２５（ｂ）に示すように、長尺材３の長手方向にわたって複数の第一通路材８６が間隔（隙間）を隔てて配置されることになる。この場合でも、第一通路材８６が長尺材３上に載置されることで、図２５（ａ）に示す、第一通路材８６の、長尺材３の長手方向に沿う側方端８６１、８６１側が長尺材３の底面部３４、３４に沿い底面部８６４、８６４が同一平面をなすことになる。
【０１４７】
底面部８６４、８６４に連続する、長尺材３の長手方向に沿う第一通路材８６の中央部には、底面部８６４、８６４から隆起した矩形形状の突出部８６２が形成されている。突出部８６２は、長尺材３の長手方向と交差する方向の長さが通路として機能するように形成されている。つまり、突出部８６２上に人が載った場合にも突出部８６２が変形し難くなるように矩形形状にするとともに、第一通路材８６の板厚も人が載った場合に変形し難くなるような厚みになっている。本例では第一通路材８６の板厚を６ｍｍとしているが、第一通路材８６の設置状況によっては第一通路材８６の板厚を変更することも可能である。
【０１４８】
第一通路材８６の突出部８６２の水平な先端８６２ａには、接続金具２から伸びるボルト部２７が突出部８６２の水平な先端８６２ａから突き出るための孔部８６３が形成されている。以上の第一通路材８６は、図２４（ｂ）に示すように、三列の長尺材３の内、中央の長尺材３の底面部３４、３４上に第一通路材８６の底面部８６４、８６４を載置すること配置されている。つまり、長尺材３の底面部３４、３４上に第一通路材８６の底面部８６４、８６４が載置されることにより、第一通路材８６の突出部８６２が長尺材３の突出部３２を被い、第一通路材８６の水平な先端８６２ａに設けられた孔部８６３から接続金具２から伸びるボルト部２７が突き出している。以上のように、第一通路材８６は、図２５（ａ）に示すように、長尺材３の長手方向に沿って構造物の屋上面１００に設けられた接続金具２から伸びるボルト部２７が第一通路材８６の突出部８６２の孔部８６３を貫通するように長尺材３の長手方向に対向して配置されている。
【０１４９】
また、第一通路材８６の長手方向の長さを長尺材３の長手方向の長さよりも短い場合には、第一通路材８６は、図２５（ｂ）に示すように、長尺材３の長手方向に沿って構造物の屋上面１００に設けられた接続金具２から伸びるボルト部２７が第一通路材８６の突出部８６２の孔部８６３を貫通するように長尺材３の長手方向に沿って複数配置されることになる。
【０１５０】
そして、図２４（ａ）に示すように、スペーサー用平板７５、７５同士の間には、接続金具２の列同士の間に設けられた下網部５１と対向して重なり合うようにして上網部５２が設けられている。例３と同様に、図２４（ａ）に示すように、スペーサー用平板７５、７５の孔部７５１、７５１から突き出たボルト部２７、２７の列同士の間に、上網部５２がスペーサー用平板７５、７５を被うようにして配置されている。本例では、上網部５２は、例３と同様に、下網部５１（長尺材３）の長手方向に沿って一つの上網部５２を配置するのとは異なり、第二網片である小型の上網片５２１を下網部５１（長尺材３）の長手方向に沿って、ボルト部２７、２７同士の間に一列に複数配置することで上網部５２の形成が行われている。
【０１５１】
小型の上網片５２１は例１及び例２の上網部５２と同一の網目の大きさであり、また、例３の小型の上網片５２１と実質的には同じであるが、両側の接続金具２、２の列（外側の二列の接続金具２、２の列）同士の間の間隔が例３の接続金具２、２の列同士の間の間隔よりも広いため、略長方形形状をなしている。また、例３と同様に、隣り合う小型の上網片５２１、５２１同士の間には隙間５２２が形成されている。つまり、小型の上網片５２１は、ボルト部２７、２７の列の長手方向に沿って、隣り合う小型の上網片５２１、５２１同士の間には隙間５２２を形成して複数配置されている。小型の上網片５２１は、図２４（ａ）に示すように、スペーサー用平板７５、７５の孔部７５１、７５１から突き出たボルト部２６、２６の列同士の間に、小型の上網片５２１がスペーサー用平板７５、７５を被い、中央に配置された接続金具２の列の上の第一通路材８６の水平な先端８６２ａ被って載置されている。
【０１５２】
小型の上網片５２１の縁部５２１ａ、５２１ａ側の網目が、下網部５１と同様に、スペーサー用平板７５、７５の孔部７５１、７５１から突き出たボルト部２７、２７の列を通ることで、小型の上網片５２１の縁部５２１ａ、５２１ａ側がスペーサー用平板７５、７５に載置され、小型の上網片５２１の中央側の網目が、第一通路材８６の水平な先端８６２ａの孔部８６３から突き出たボルト部２７の列を通ることで、小型の上網片５２１の中央側が第一通路材８６の水平な先端８６２ａに載置されている（図２４（ａ）参照）。載置された小型の上網片５２１と隙間５２２を経て、同じように、小型の上網片５２１は、小型の上網片５２１の縁部５２１ａ、５２１ａ側の網目が、スペーサー用平板７５、７５の孔部７５１、７５１から突き出たボルト部２６、２６を通して、小型の上網片５２１の縁部５２１ａ、５２１ａ側をスペーサー用平板７５、７５に載置し、小型の上網片５２１の中央側の網目が、第一通路材８６の水平な先端８６２ａの孔部８６３から突き出たボルト部２７を通して、小型の上網片５２１の中央側を第一通路材８６の水平な先端８６２ａに載置する、ということを複数の小型の上網片５２１についても行うことで複数の小型の上網片５２１がスペーサー用平板７５、７５及び第一通路材８６の水平な先端８６２ａに載置されることで上網部５２がスペーサー用平板７５、７５及び一列に並んだ第一通路材８６の水平な先端８６２ａに配置されている。
【０１５３】
上網部５２は、図２４（ａ）に示すように、スペーサー用平板７５、７５同士の間を被い、上網部５２の縁部５２ａ、５２ａ側が対向するスペーサー用平板７５、７５上に載置され、上網部５２の中央側が第一通路材８６の水平な先端８６２ａ上に載置されることで、接続金具２の上面部２２から伸びるボルト部２７が上網部５２の、中央側及び縁部５２ａ側の網目を通り抜け、上網部５２の保持及び位置決めが行われている。このように上網部５２が配置されることで、上網部５２は構造物の屋上面１００に沿う方向に設けられることになり（上網部５２は構造物の屋上面１００に対して平行に設けられることになり）、上網部５２は下網部５１に対向して重なり合うようになっている。以上のようにして、下網部５１と上網部５２とからなる二層構造の網部５が設けられている。
【０１５４】
そして、長尺材３、３の、二層構造の網部５が設けられた（配置された）角部３５、３５側とは反対の角部３５、３５側の、複数の植栽基盤１が載置されて（配置されて）植栽基盤１、１の列と、上網部５２の縁部５２ａ、５２ａとの間には、例３と同様に、図２４（ａ）に示すように、例３と同一の第四押え材６５が取り付けられている。つまり、複数配置された植栽基盤１の列と隣接する長尺材３（接続金具２から伸びる上網部５２から突き出したボルト部２６）とを連結するために、第四押え材６５が配置されている。第四押え材６５は、例３と同様に、複数配置された植栽基盤１の列と隣接する長尺材３（接続金具２から伸びる上網部５２から突き出したボルト部２７とを連結するために配置されている。第四押え材６５は、図２４（ａ）に示すように、植栽基盤１の側面部１４に沿って伸びた伸長部６５２より植栽基盤１の上面部１１上に（載り）、上面部１１と平行に平面部６５３が植栽ポット１２へ伸びており、上網部５２の縁部５２ａに沿って伸びる平面部６５１に設けられた孔部６５４から接続金具２から伸びるボルト部２７が突き出ている（図２４（ｂ）参照）。
【０１５５】
例３と同様に、この孔部６５４から突き出ているボルト部２７に通された座金７３は平面部６５１上に載置され、座金７３より突き出したボルト部２７にナット７１を螺合している。ナット７１を螺合することで第四押え材６５を上網部５２及び植栽基盤１側に固定することで植栽基盤１の側面部１４を押さえている。以上のようにして、第四押え材６５が配置されることにより、下網部５１の縁部５１ａ側、長尺材３、スペーサー７４、及び上網部５２の縁部５２ａ側を配置された接続金具２と植栽基盤１とが連結されている。
【０１５６】
上網部５２の中央側では、上網網５２の中央側を介して第一通路材８６の突出部８６２の水平な先端８６２ａに対向して第二通路材８７が載置されている。第二通路材８７は、図２６（ｂ）に示すように、断面略Ｍ字状の形状をした長尺の部材であり、長手方向の長さが長尺材３の長手方向の長さとが略同一となっている。また、第二通路材８７の、長尺材３の長手方向に沿う側方端８７１、８７１側に突出部８７２、８７２が形成されており、突出部８７２、８７２同士の間には、第二通路材８７の長手方向に沿って底面部８７４が形成されている。底面部８７４には、底面部８７４の中央に第二通路材８７の長手方向に沿って孔部８７３が複数形成されている。孔部８７３は、長尺材３の長手方向に沿って構造物の屋上面１００に設けられた接続金具２から伸びるボルト部２７の位置に対応して形成されている。
【０１５７】
また、第二通路材８７の底面部８７４は、第一通路材８６の突出部８６２と同様に、長尺材３の長手方向と交差する方向の長さが通路として機能するように形成されている。つまり、第二通路材８７の底面部８７４上に人が載った場合にも第二通路材８７が変形し難くなるような厚みになっている。本例では、第二通路材８７も第一通路材８６と同様に板厚を６ｍｍとしているが、第一通路材８６と同様に、第二通路材８７の設置状況によっては第二通路材８７の板厚を変更することも可能である。また、本例では、第二通路材８７の幅の長さ（側方端８７１、８７１同士の間の長さ）が第一通路材８６の水平な先端８６２ａの長さ（長尺材３の長手方向と交差する方向の長さ）と同一としてある。ただし、第二通路材８７の幅の長さ（側方端８７１、８７１同士の間の長さ）と第一通路材８６の水平な先端８６２ａの長さ（長尺材３の長手方向と交差する方向の長さ）とを異ならせることも可能である。例えば第二通路材８７の幅の長さ（側方端８７１、８７１同士の間の長さ）より第一通路材８６の水平な先端８６２ａの長さ（長尺材３の長手方向と交差する方向の長さ）を長くすることも可能である。
【０１５８】
以上の第二通路材８７は、図２４（ｂ）に示すように、三列の長尺材３の内、中央の長尺材３を被って配置してある第一通路材８６の突出部８６２の水平な先端８６２ａと対向して小型の上網片５２１上に載置され、上網部５２の中央側の網目から伸びるボルト部２７（第一通路材８６の水平な先端８６２ａの孔部８６３から接続金具２から伸びるボルト部２７）が第二通路材８７の底面部８７４の孔部８７３から突き出している。この孔部８７３から突き出ているボルト部２７に通された座金７３は底面部８７４上に載置され、座金７３より突き出したボルト部２７にナット７２を螺合している。ナット７２を螺合することで、上網部５２を介して、接続金具２側に配置されている長尺材３の突出部３２を被っている第一通路材８６と第二通路材８７とを固定することで第二通路材８７を配置している。
【０１５９】
図２７（ａ）に示すように、本例でも、例３と同様に、二層構造の網部５である、下網部５１と上網部５２との間に掃除用網５３が挟み込まれている。本例で用いる掃除用網５３は例３と同一である。例３と同様に、掃除用網５３の網目は下網部５１の網目と同じ大きさであれば１ｍｍ×１ｍｍの大きさに限定されることなく、例えば、１ｍｍから５ｍｍの正方形、或いは長方形の網目で、ごみが下網部５１へ落ちないで、しかも風が通る程度の網目の大きさが確保できていればよく、網目の形状は特に問わない。また、本例では、例３と同様の小型の上網片５２１を第四押え材（長尺材３）６５及び第二通路材８７、の長手方向に沿って、第二通路材８７と対向する第四押え材（長尺材３）６５、６５との間にそれぞれ一列に複数配置することで上網部５２の形成が行われている。また、例３と同様に、隣り合う小型の上網片５２１、５２１同士の間には隙間５２２が形成されている。つまり、小型の上網片５２１は、第四押え材（長尺材３）６５及び第二通路材８７、の長手方向に沿って、隣り合う小型の上網片５２１、５２１同士の間には隙間５２２を形成して複数配置されている。
【０１６０】
例３と同様に、下網部５１と上網部５２との間に挟み込む掃除用網５３は、小型の上網片５２１と対向して重なり合うように配置されている。具体的には、図２７に示すように、例３と同様に、掃除用網５３は、小型の上網片５２１と対向して重なり合うようにして、第二通路材８７及び第四押え材（長尺材３）６５、６５の長手方向に沿って複数配置されている。また、掃除用網５３の（一方の）端部５３１側は、図２７（ｂ）に示すように、隣り合う小型の上網片５２１、５２１同士の間に形成された隙間５２２から出ている。つまり、掃除用網５３の（一方の）端部５３１側は隣り合う小型の上網片５２１、５２１同士の間の位置になるように配置されている。
【０１６１】
図２７（ａ）に示すように、掃除用網５３は、例３と同様に、下網部５１と上網部５２との間に配置されており、配置に際しては、掃除用網５３の取り外しを考慮に入れて、上網部５２の第四押え材（長尺材３）６５側である、上網部５２の縁部５２ａ、５２ａ側（小型の上網片５２１の縁部５２１ａ、５２１ａ）と対向する掃除用網５３の縁部５３ａ、５３ａ側を上網部５２の縁部５２ａ、５２ａ側（小型の上網片５２１の縁部５２１ａ、５２１ａ）に針金で縛って固定するとともに、上網部５２の通路材（第一通路材８６及び第二通路材８７）側と対向する掃除用網５３の縁部５３ａ、５３ａ側を上網部５２の通路材（第一通路材８６及び第二通路材８７）側に針金で縛って固定することで配置している（図２７（ｂ）参照）。
【０１６２】
この上網部５２の縁部５２ａ、５２ａ側と、上網部５２の縁部５２ａ、５２ａ側と掃除用網５３の縁部５３ａ、５３ａ側との固定が行われる固定位置５３５、５３５、５３５、・・・は、図２７（ｂ）に示すように、第四押え材６５の長手方向（上網部５２の縁部５２ａ、５２ａ及び掃除用網５３の縁部５３ａ、５３ａ）に沿って複数形成されている。また、図２７（ｂ）に示すように、この上網部５２の通路材（第一通路材８６及び第二通路材８７）側と、上網部５２の通路材（第一通路材８６及び第二通路材８７）側と対向する掃除用網５３の縁部５３ａ、５３ａ側との固定が行われる固定位置５３６、５３６、５３６、・・・は、第一通路材８６及び第二通路材８７の長手方向に沿って複数形成されている。そして、図２７（ｂ）に示すように、一つの掃除用網５３は四箇所の固定位置５３５、５３５、５３６、５３６で上網部５２に針金で縛られて固定されている。
【０１６３】
ただし、掃除用網５３を上網部５３に固定する際に、針金で縛ることに限定されずフック状の部材を上網部５２の縁部５２ａ、５２ｂ側と、上網部５２の縁部５２ａ、５２ｂ側と対向する掃除用網５３の縁部５３ａ、５３ａ側とに引っ掛け、また、フック状の部材を上網部５２の通路材（第一通路材８６及び第二通路材８７）側と、上網部５２の通路材（第一通路材８６及び第二通路材８７）側と対向する掃除用網５３の縁部５３ａ、５３ａ側とに引っ掛けることで下網部５１と上網部５２との間に掃除用網５３を固定して配置することも可能である。さらに、掃除用網５３の、一方の端部５３１側と他方の端部５３２側とを上網部５２に針金等で固定することに限定されず、例えば、掃除用網５３の一方の端部５３１側については、上網部５２の縁部５２ａ、５２ａ側に固定して、掃除用網５３の他方の端部５３２側については、隣りの掃除用網５３に重ね合わせることで順次、掃除用網５３をつなぐことで、掃除用網５３を下網部５１と上網部５２との間に、第四押え材（長尺材３）６５の長手方向に沿って複数配置することも可能である。
【０１６４】
以上のようにして、構造物の屋上面１００上に少なくとも二列に並んだ植栽基盤１、１の列同士の間の二層構造の網部５の中に（二層構造の網部５である、下網部５１と上網部５２とで挟み込んで）掃除用網５３を設けて、二層構造の網部５を横切る通路（第一通路材８６及び第二通路材８７）が形成されている。そして、掃除用網５３を取り出す際には、例３と同様にして、図２７（ｂ）に示す、隣り合う小型の上網片５２１、５２１同士の間に形成された隙間５２２から掃除用網５３を取り出すことになる。具体的には、図２７（ｂ）に示すように、掃除用網５３の、第四押え材（長尺材３）６５側の固定位置５３５、５３５と第二通路材８７側の固定位置５３６、５３６とにある針金を解き、掃除用網５３を矢印Ａ方向へ移動して、隙間５２２の間に出ていた掃除用網５３の一方の端部５３１を小型の上網片５２１上へ乗り上げて行き、小型の上網片５２１上に掃除用網５３を載せることで掃除用網５３を取り出すことになる。掃除用網５３には、枯葉等のごみが載っているので掃除用網５３を二層構造の網部５から取り出すことで二層構造の網部５から枯葉等のごみを除去することが可能になる。
【０１６５】
つぎに、上記に示した植栽基盤１の列同士の間に二層構造の網部５を設ける植栽基盤１を用いた緑化構造の施工方法について説明する。
【０１６６】
まず、構造物の屋上面１００に接続金具２を配置する。本例では、図２８に示すように、構造物の縁部１００ａに沿って、構造物の屋上面１００に接続金具２が配置されている。配置に際しては、図２８（ｂ）に示すように、接続金具２の下面部２１が構造物の屋上面１００と接触し、ボルト部２３が設けられた上面部２２が構造物の屋上面１００と同じ方向に向く。また、接続金具２の配置に際しては、図２８（ａ）に示すように、構造物の屋上面１００に長尺材３を配置するために、長尺材３の長手方向に沿うように、構造物の屋上面１００に複数の接続金具２が一列に並べられている。本例では、複数の接続金具２が、構造物の縁部１００ａに沿って、等間隔ａで一列に並べられているが、接続金具２が複数列並べられたときに、接続金具２同士が対向すれば、等間隔である必要はなく任意の間隔とすることも可能である。
【０１６７】
また、構造物の屋上面１００に配置された接続金具２は、接続金具２の下面部２１にボルト２４を設けて構造物の屋上面１００に埋め込むことで固定されている。ただし、構造物の屋上面１００への接続金具２の固定に際しては、接続金具２の下面部２１に接着剤を塗布することにより、構造物の屋上面１００に固定することも可能である。さらに、本例では、図２８（ａ）に示すように、構造物の縁部１００ａに沿って、接続金具２を二列に並べ、二列に並んだ接続金具２から間隔ｂをおいて接続金具２を三列に並べ、また、間隔ｂをおいて三列に並んだ接続金具２から間隔ｃをおいて接続金具２を三列並べる。構造物の屋上面１００に並べられた接続金具２の内、構造物の縁部１００ａに沿って、二列に並んだ接続金具２から間隔ｂをおいて三列に並んだ接続金具２の真ん中の列の接続金具２と、間隔ｂをおいて三列に並んだ接続金具２から間隔ｃをおいて三列に並んだ接続金具２の真ん中の列の接続金具２と、は他の列の接続金具２に設けられたボルト部２３より長いボルト部２４が設けられた接続金具２が配置される。
【０１６８】
つぎに、接続金具２上に下網部５１を載置する（図２９参照）。本例では、図２９（ａ）に示すように、構造物の縁部１００ａに近い二列に並んだ接続金具２の内、間隔ｂをおいて三列に並べられた接続金具２に近い列の接続金具２と、間隔ｂをおいて三列に並べられた接続金具２の内、構造物の縁部１００ａに近い二列に並んだ接続金具２に近い列の接続金具２との間を被うように接続金具２上に下網部５１を載置する。また、二列に並んだ接続金具２から間隔ｂをおいて三列に並べられた接続金具２の内、間隔ｃをおいて三列に並べられた接続金具２に近い列の接続金具２と、間隔ｃをおいて三列に並べられた接続金具２の内、二列に並んだ接続金具２から間隔ｂをおいて三列に並べられた接続金具２に近い列の接続金具２との間を被うように接続金具２上に下網部５１を載置する。
【０１６９】
下網部５１の載置に際しては、下網部５１の、長尺材３の長手方向となる一列に並んだ接続金具２に対して交差する方向の下網部５１の縁部５１ａ、５１ａ側の網目を、接続金具２のボルト部２３に通す（図２９（ｂ）参照）。つまり、下網部５１が、少なくとも二列に並んだ接続金具２、２同士の間を被い、下網部５１の縁部５１ａ、５１ａ側が対向する接続金具２、２上に載り、接続金具２の上面部２２から伸びるボルト部２３が下網部５１の縁部５１ａ側の網目を通り抜け、下網部５１を保持する。その結果、少なくとも二列に並んだ接続金具２、２同士が対向して形成された間隔に下網部５１が配置される。本例では、構造物の縁部１００ａに近い二列に並んだ接続金具２と、隣り合う、間隔ｂをおいて三列に並べられた接続金具２との間に下網部５１が配置され、間隔ｂをおいて三列に並べられた接続金具２と、隣り合う、間隔ｃをおいて三列に並べられた接続金具２との間に下網部５１が配置される。
【０１７０】
下網部５１を配置した後に、構造物の屋上面１００に一列に並んで、固定されている接続金具２上に長尺材３を配置する。接続金具２は長尺材３の長手方向に沿う方向に配置（固定）されているので、構造物の屋上面１００に一列に並んで、固定されている接続金具２の上に長尺材３を配置することで、構造物の屋上面１００に一列に並んで、固定されている接続金具２を被う。長尺材３が接続金具２を被うことで、接続金具２の上面部２２上に長尺材３の底面部３４、３４が載り、長尺材３の長手方向に沿う中央部の矩形形状の突出部３２が接続金具２から伸びるボルト部２３の外径を収納し、長尺材３の突出部３２の先端３２ａに設けられた孔部３３より、接続金具２から伸びるボルト部２３が突き出る。
【０１７１】
本例では、図３０に示すように、下網部５１が配置されていない接続金具２については、構造物の屋上面１００に一列に並んで、固定されている接続金具２の上面部２２上に長尺材３の底面部３４、３４を載せることで接続金具２上に長尺材３を配置する（図３０（ｂ）参照）。また、下網部５１が配置されている（下網部５１の縁部５１ａ側が接続金具２上に載っている）接続金具２については、下網部５１の縁部５１ａ側に長尺材３の底面部３４、３４を載せて下網部５１の縁部５１ａ側を長尺材３の底面部３４、３４と接続金具２の上面部２２と挟み込んで、接続金具２上に長尺材３を配置する（図３０（ｂ）参照）。
【０１７２】
本例では、図３０（ａ）に示すように、構造物の縁部１００ａに近い二列に並んだ接続金具２の内、間隔ｂをおいて三列に並べられた接続金具２に近い列の接続金具２と、三列に並べられた接続金具２の内、構造物の縁部１００ａに近い二列に並んだ接続金具２に近い列の接続金具２と、には、長尺材３の底面部３４、３４を下網部５１の縁部５１ａ側に載せ接続金具２の上面部２２とで下網部５１の縁部５１ａ側を挟む込んで長尺材３を配置する。また、二列に並んだ接続金具２から間隔ｂをおいて三列に並べられた接続金具２の内、間隔ｃをおいて三列に並べられた接続金具２に近い列の接続金具２と、間隔ｃをおいて三列に並べられた接続金具２の内、二列に並んだ接続金具２から間隔ｂをおいて三列に並べられた接続金具２に近い列の接続金具２と、にも、長尺材３の底面部３４、３４を下網部５１の縁部５１ａ側に載置して接続金具２の上面部２２とで下網部５１の縁部５１ａ側を挟む込んで長尺材３を配置する。
【０１７３】
長尺材３の底面部３４と接続金具２の上面部２２との間に下網部５１の縁部５１ａ側挟み込むことにより、下網部５１が構造物の屋上面１００に沿う方向に設けられる。そして、それ以外の接続金具２には、接続金具２の上面部２２に直接長尺材３の底面部３４、３４を載せることで長尺材３を配置する。具体的には、図３０（ａ）に示すように、構造物の縁部１００ａに近い二列に並んだ接続金具２の内、構造物の縁部１００ａに近い列の接続金具２と、間隔ｃをおいて三列に並べられた接続金具２の内、最も外側の列の接続金具２（間隔ｂをおいて三列に並べられた接続金具２から最も遠い列の接続金具２）とには、接続金具２の上面部２２に直接長尺材３の底面部３４、３４を載せることで長尺材３を配置する。
【０１７４】
長尺材３を配置した後に、対向する長尺材３、３同士の間に植栽基盤１を配置する。つまり、接続金具２（或いは、下網部５１の縁部５１ａ側を介して接続金具２）に載った、対向する長尺材３、３の、底面部３４、３４と突出部３２、３２と形成される角部３５、３５が向き合う（対向する）ことで、角部３５、３５で植栽基盤１の底面部１３の縁部１３ａ側を支持させることで、対向する長尺材３、３の角部３５、３５に植栽基盤１を配置する（載せる）。対向する長尺材３、３の角部３５、３５への植栽基盤１の配置に際しては、対向する長尺材３、３の長手方向に沿う、一方の端部から他方の端部へ植栽基盤１を並べて敷き詰める。
【０１７５】
本例では、図３１に示すように、対向する長尺材３、３の長手方向に沿う、他方の端部側に植栽基盤１を積み上げておき、対向する長尺材３、３の長手方向に沿う角部３５、３５に沿って、他方の端部側に積み上げられた植栽基盤１を一方の端部側へ移動する。移動に際しては、他方の端部側に積み上げられた植栽基盤１を、対向する長尺材３、３の角部３５、３５である長尺材３の、底面部３４、３４と突出部３２、３２とを摺動させることで移動し、対向する長尺材３、３の長手方向に沿う、一方の端部側を植栽基盤１で敷き詰める。
【０１７６】
図３１では、下網部５１、５１で挟み込まれた、対向する長尺材３、３の間に植栽基盤１を並べて敷き詰める状態が示されているが、他の、下網部５１が配置されていない、対向する長尺材３、３の間にも植栽基盤１を並べて敷き詰める。最終的に植栽基盤１の配置は、本例では、図３２（ａ）に示すように、下網部５１が配置されていない、対向する長尺材３、３の間にも、対向する長尺材３、３の長手方向に沿う、一方の端部から他方の端部へ植栽基盤１を並べて敷き詰める。その結果、本例では、図３２に示すように、構造物の縁部１００ａ寄りに植栽基盤１が一列に並び、下網部５１を経て植栽基盤１、１が二列に並び、さらに下網部５１を経て植栽基盤１、１が二列に並ぶ（図３２（ｂ）参照）。
【０１７７】
植栽基盤１を並べて敷き詰めて配置した後に、図３３に示すように、下網部５１と重なり合うように上網部５２を配置する（図３３（ｂ）参照）。本例では、図３３（ａ）に示すように、構造物の縁部１００ａに近い二列に並んだ接続金具２の内、間隔ｂをおいて三列に並べられた接続金具２に近い列の接続金具２と、三列に並べられた接続金具２の内、構造物の縁部１００ａに近い二列に並んだ接続金具２に近い列の接続金具２との間を被うように接続金具２上に上網部５２を載置する。また、二列に並んだ接続金具２から間隔ｂをおいて三列に並べられた接続金具２の内、間隔ｃをおいて三列に並べられた接続金具２に近い列の接続金具２と、間隔ｃをおいて三列に並べられた接続金具２の内、二列に並んだ接続金具２から間隔ｂをおいて三列に並べられた接続金具２に近い列の接続金具２との間を被うように接続金具２上に上網部５２を載置する（図３３（ｂ）参照）。
【０１７８】
上網部５２の載置に際しては、上網部５２の、長尺材３の長手方向に対して交差する方向の縁部５２ａ、５２ａ側を、接続金具２のボルト部２３に通す。つまり、長尺材３の底面部３４から隆起した、突出部３２の先端３２ａに設けられた孔部３３より突き出た、接続金具２から伸びるボルト部２３に上網部５２の縁部５２ａを通す。具体的には、上網部５２が、下網部５１が配置された、少なくとも二列に並んだ長尺材３、３同士の間を被い、上網部５２の縁部５２ａ、５２ａ側が対向する長尺材３、３の突出部３２、３２の先端３２ａ、３２ａ上に載り、接続金具２の上面部２２、２２から伸びるボルト部２３、２３が上網部５２の縁部５２ａ側の網目を通り抜け、上網部５２を保持する。
【０１７９】
その結果、少なくとも二列に並んだ長尺材３、３（接続金具２、２）同士が対向して形成された間隔に上網部５２が配置される。本例では、構造物の縁部１００ａに近い二列に並んだ長尺材３（接続金具２）と、隣り合う、間隔ｂをおいて三列に並べられた長尺材３（接続金具２）との間に上網部５２が配置され、間隔ｂをおいて三列に並べられた長尺材３（接続金具２）と、隣り合う、間隔ｃをおいて三列に並べられた長尺材３（接続金具２）との間に上網部５２が配置される。つまり、上網部５２は、下網部５１と対向させて、下網部５１との間に空間を形成して、構造物の屋上面１００に沿う方向に設けられる。
【０１８０】
上網部５２を配置した後に、上網部５２の縁部５２ａ側の網目から突き出したボルト部２３に固定部材であるナット７１を螺合して、接続金具２上の下網部５１の縁部５１ａ側、長尺材３及び上網部５２の縁部５２ａ側を固定する。
【０１８１】
下網部５１の縁部５１ａ側、長尺材３及び上網部５２の縁部５２ａ側を固定された接続金具２と植栽基盤１とを連結するために第二押え材６を配置する。本例では、図３４に示すように、構造物の縁部１００ａに近い二列に並んだ長尺材３（接続金具２）の内、間隔ｂをおいて三列に並べられた長尺材３（接続金具２）に近い列の接続金具２と、植栽基盤１との間に長尺材３の長手方向に沿って第二押え材６を載置し、三列に並べられた長尺材３（接続金具２）の内、構造物の縁部１００ａに近い二列に並んだ長尺材３（接続金具２）に近い列の長尺材３（接続金具２）と、植栽基盤１との間に長尺材３の長手方向に沿って第二押え材６を載置する。
【０１８２】
また、二列に並んだ接続金具２から間隔ｂをおいて三列に並べられた長尺材３（接続金具２）の内、間隔ｃをおいて三列に並べられた長尺材３（接続金具２）に近い列の長尺材３（接続金具２）と、植栽基盤１との間に長尺材３の長手方向に沿って第二押え材６を載置し、間隔ｃをおいて三列に並べられた長尺材３（接続金具２）の内、二列に並んだ長尺材３（接続金具２）から間隔ｂをおいて三列に並べられた長尺材３（接続金具２）に近い列の長尺材３（接続金具２）と、植栽基盤１との間に長尺材３の長手方向に沿って第二押え材６を載置する。
【０１８３】
第二押え材６の載置に際しては、第二押え材６の平面部６１に設けられた孔部６４へナット７１を螺合したボルト部２３を通して、第二押え材６の平面部６１をナット７１上に載置する。第二押え材６の平面部６１をナット７１上に載置することで、第二押え材６の平面部６３は植栽基盤１の上面部１１の植栽ポット１２にかかるところに載る。そして、ナット７１より突き出したボルト部２３に座金７３を通しナット７１上に載置し、座金７３より突き出したボルト部２３にナット７２を螺合する。その結果、下網部５１の縁部５１ａ側、長尺材３及び上網部５２の縁部５２ａ側を固定された接続金具２に第二押え材６が固定され、第二押え材６の平面部６３が植栽基盤１の上面部１１に押圧を加えた状態になる。
【０１８４】
以上のようにして、第二押え材６により、下網部５１の縁部５１ａ側、長尺材３及び上網部５２の縁部５２ａ側を固定された接続金具２側と植栽基盤１とが連結される。そして、下網部５１を設けた、対向する植栽基盤１、１の列同士の間で、上網部５２の、長尺材３の長手方向に対して交差する方向の縁部５２ａ、５２ａ側を、長尺材３の、底面部３４から隆起した突出部３２の先端３２ａと、植栽基盤１と接続金具２側とを連結する第二押え材６との間に挟み込むことで、上網部５２を下網部５１と対向させて上網部５２と下網部５１との間に形成された空間が保持される。
【０１８５】
また、接続金具２の上面部２２に直接長尺材３の底面部３４、３４を載せることで長尺材３を配置した、上網部５２が配置されていない、接続金具２には、長尺材３の突出部３２から突き出たボルト部２３にナット７１を螺合して接続金具２に長尺材３を固定する。本例では、図３４（ａ）に示すように、構造物の縁部１００ａに近い二列に並んだ接続金具２の内、構造物の縁部１００ａに近い列の接続金具２と、間隔ｃをおいて三列に並べられた接続金具２の内、最も外側の列の接続金具２（間隔ｂをおいて三列に並べられた接続金具２から最も遠い列の接続金具２）とには、長尺材３の突出部３２から突き出たボルト部２３にナット７１を螺合して接続金具２に長尺材３を固定する。
【０１８６】
そして、接続金具２に固定された長尺材３と植栽基盤１とを連結するために第一押え材４を配置する。本例では、図３４（ｂ）に示すように、構造物の縁部１００ａに近い二列に並んだ接続金具２の内、構造物の縁部１００ａに近い列の接続金具２と、植栽基盤１との間に長尺材３の長手方向に沿って第一押え材４を載置し、間隔ｃをおいて三列に並べられた接続金具２の内、最も外側の列の接続金具２（間隔ｂをおいて三列に並べられた接続金具２から最も遠い列の接続金具２）と、植栽基盤１との間に長尺材３の長手方向に沿って第一押え材４を載置する。
【０１８７】
第一押え材４の載置に際しては、第一押え材６の平面部４１に設けられた孔部４５へナット７１を螺合したボルト部２３を通して、第一押え材４の平面部４１をナット７１上に載置する。第一押え材４の平面部４１をナット７１上に載置することで、第一押え材４の平面部４４は植栽基盤１の上面部１１に載り、第一押え材４の折曲部４２により、長尺材３の、突出部３２と底面部３４を囲む。そして、ナット７１より突き出したボルト部２３に座金７３を通しナット７１上に載置し、座金７３より突き出したボルト部２３にナット７２を螺合する。その結果、長尺材３を固定された接続金具２に第一押え材４が固定され、第一押え材４の平面部４４が植栽基盤１の上面部１１に押圧を加えた状態になる。以上のようにして、長尺材３を固定された接続金具２側と植栽基盤１とが連結される。
【０１８８】
また、二列に並んだ植栽基盤１、１同士を連結するために第三押え材８を配置する。本例では、図３４（ａ）に示すように、構造物の縁部１００ａに沿って、二列に並んだ接続金具２から間隔ｂをおいて三列に並んだ接続金具２の真ん中の列の接続金具２と、重なり合うように第三押え材８を配置し、また、間隔ｂをおいて三列に並んだ接続金具２から間隔ｃをおいて三列に並んだ接続金具２の真ん中の列の接続金具２と、重なり合うように第三押え材８を配置する。
【０１８９】
具体的には、図３４（ｂ）に示すように、第三押え材８を二列に隣接して並んだ植栽基盤１、１の間に組み込む。第三押え材８の突出部８４を二列に隣接して並んだ植栽基盤１、１の間に挟み込まれるように組み込み、接続金具２から伸びるボルト部２４を第三押え材８の突出部８４の底面部８３に設けられた孔部８５から突き出させる。そして、第三押え材８の平面部８１、８１が植栽基盤１の上面部１１に載せ、孔部８５から突き出たボルト部２４に座金７３を通し、座金７３を第三押え材８の突出部８４の底面部８３に載置し、座金７３より突き出したボルト部２４にナット７２を螺合する。その結果、第三押え材８を植栽基盤１、１に固定することになり、二列に隣接して並んだ植栽基盤１、１同士を連結する。
【０１９０】
そして、第一掃除用網である掃除用網５３を用いる場合には、図３５に示すように、二層構造の網部５内の空間５２３に掃除用網５３を掃除用網５３の一方の端部５３１より挿入する。挿入後に、図３５（ａ）に示すように、上網部５２の、第二押え材（長尺材３）６側である、上網部５２の縁部５２ａ、５２ａ側と対向する掃除用網５３の縁部５３ａ、５３ａ側を上網部５２の縁部５２ａ、５２ａ側で複数箇所（固定位置５３３、５３４、５３５・・・）を針金で縛る。その結果、図３５（ｂ）に示すように、掃除用網５３は二層構造の網部５内の空間５２３に下網部５１及び上網部５２と対向するように配置され、掃除用網５３は、下網部５１に対向するとともに、上網部５２に対向することになる。また、掃除用網５３は、横糸５５が容易に折れ曲がらない強度を有する素材、本例では樹脂で成形されるため、風が吹くと掃除用網は下網部と上網部の間を上下するだけで、掃除用網がめくり上がり難くなり下網部５１の上に掃除用網がない部分が発生し難い。
【０１９１】
つぎに灌水パイプ９を配置する。灌水パイプ９の配置に際しては、長尺の灌水パイプ９を長尺材３の長手方向と平行な状態にして、灌水パイプ９を一列に並んだ植栽基盤１の上に配置する（図３６参照）。本例では、図３６（ａ）に示すように、全ての、一列に並んだ植栽基盤１上の植栽ポット１２、１２同士の間に長尺の灌水パイプ９が配置され（図３６（ｂ）参照）、長尺の灌水パイプ９の長手方向の所々に塗布された接着剤又は針金により植栽基盤１に固定される。また、灌水パイプ９には、図示しない多数の孔部が形成されており、灌水パイプ９内に水を通すと、図示しない多数の孔部より水が飛び出し植栽基盤１の植栽ポット１２へ水の供給を行う。
【０１９２】
植栽基盤１の植栽ポット１２へ水の供給が行われることで、図３７に示すように、植栽ポット１２より蔓性植物１０が成長し、植栽基盤１から二層構造の網部５（上網部５２）に育っていく。このように、植栽基盤１からの蔓性植物１０が植栽基盤１から二層構造の網部５（上網部５２）に育っていくことで、二層構造の網部５（上網部５２）上に蔓性植物１０が繁ることになり、構造物の屋上面１００の緑化が行われる。植栽ポット１２から成長する蔓性植物１０として、本例では冬枯れない植物であるヘデラ類を植栽しているが、ヘデラ類の他に冬枯れない植物であるキヅタ、オオイタビ、ムベ等を植栽することも可能である。また、蔓性植物１０としては冬枯れない植物に限定されることなく、冬枯れる植物であるナツヅタ、ノウゼンカズラ類とすることも可能である。
【０１９３】
上網部５２の縁部５２ａ、５２ａ側と掃除用網５３の縁部５３ａ、５３ａ側とを複数箇所（固定位置５３３、５３４、５３５・・・）で単に針金により縛っているに過ぎないので針金を解くことにより、上網部５２と掃除用網５３とを分離し、二層構造の網部５内の空間５２３から掃除用網５３の一方の端部５３１を引き出す。その結果、二層構造の網部５内へ入り込んだ枯葉等を含むゴミを取り出すことが可能になる。掃除用網５３から枯葉等を含むゴミを除去した後、掃除用網５３の他方の端部に取り付けられた引戻し紐５６、５６を引っ張り、掃除用網５３を二層構造の網部５内へ挿入し、再び上網部５２の、第二押え材（長尺材３）６側である、上網部５２の縁部５２ａ、５２ａ側と対向する掃除用網５３の縁部５３ａ、５３ａ側を上網部５２の縁部５２ａ、５２ａ側で複数箇所（固定位置５３３、５３４、５３５・・・）針金で縛る。
【０１９４】
なお、接続金具２は、図３８（ａ）に示すように、例えば、折板屋根１９０に配置する場合には、別の形態をとることも可能である。例えば、山部１９１の頂面１９２にハゼ部１９３が形成された折板屋根１９０の場合、そのハゼ部１９３を両側から挟む込む形式の接続金具２９を使用することになる。接続金具２９は、図３８（ａ）に示すように、略対称な一対の金具片２９１よりなり、その一対の金具片２９１を重ね合わせることでハゼ部１９３を挟み込むことになる。金具片２９１は、頂面１９２に対して配置可能なように頂面１９２に沿って伸びる傾斜した平面状の脚部２９２が形成されている。脚部２９２から連続して膨出部２９３が形成されており、脚部２９２と膨出部２９３との間にはくびれた絞り部２９４が形成されている。
【０１９５】
膨出部２９３は、図３８（ａ）に示すように、円弧状の形状をなし、金具片２９１、２９１同士を重ね合わせることで中空部２９５が形成されることになる。膨出部２９３に連続して平板状に伸びる締結部２９６が形成されており、締結部２９６には、ボルト２９８を挿通させるための孔部２９７が形成されている。そして、締結部２９６より略直角に折れ曲がって平板状に伸びる張出部３００が形成されている。張出部３００に対して垂直に伸びる凸部を形成するために孔部３０１が形成されている。  
【０１９６】
接続金具２９を折板屋根１９０に配置すると、図３８（ａ）に示すように、一対の金具片２９１、２９１同士を重ね合わせ、膨出部２９３、２９３が折板屋根１９０のハゼ部１９３を挟み込み、膨出部２９３、２９３で形成される中空部２９５内にハゼ部１９３を収容し、絞り部２９４、２９４がハゼ部１９３の脚部１９４に当接した状態で挟み込んでいる。また、脚部２９２、２９２は頂面１９２に対して開いた状態で当接することで頂面１９２に配置されている。さらに、膨出部２９３、２９３より伸びる重ね合わされた締結部２９６、２９６にはボルト２９８が孔部２９７、２９７を挿通されて、ボルト２９８にはナット２９９が螺合されることで一対の金具片２９１、２９１が固定されるとともに折板屋根１９０の頂面１９２に配置されている。そして、張出部３００の孔部３０１には、棒状部材（凸部）であるボルト部３０２が組み込まれている。そのボルト部３０２を張出部３００に固定するためにナット３０３が螺合されている（ボルト部３０２の頭部とナット３０３とで張出部３００を挟み込んでいる）。
【０１９７】
接続金具２９を用いて構造物の屋上面１００である折板屋根１９０に二層構造の網部５を設ける場合には、接続金具２を用いた場合と同様に、折板屋根１９０の山部１９１の長手方向に沿って、図３８（ａ）に示すように複数の接続金具２９を配置して接続金具２９の列を形成することになる。そして、接続金具２９の列には下網部５１の縁部５１ａが配置され、下網部５１の縁部５１ａ側の網目が、接続金具２９のボルト部３０３を通り、下網部５１の縁部５１ａ側を接続金具２９の張出部３００に載置されて配置されている。接続金具２９の張出部３００に長尺材３の底面部３４、３４を載せると、図３８（ｂ）に示すように、接続金具２９のボルト部３０３の先端側が長尺材３の突出部３２の先端３２ａの孔部３３から突き出ることになる。
【０１９８】
接続金具２９の張出部３００から伸びるボルト部３０２が上網部５２の縁部５２ａ側の網目を通り抜け、上網部５２の保持及び位置決めが行われ、ボルト部３０２には固定部材であるナット７１が螺合されている。そして、接続金具２９から伸びるボルト部３０２が第二押え材６（或いは第四押え材６５）孔部６４（或いは孔部６５４）から突き出ている。この孔部６４（或いは孔部６５４）から突き出ているボルト部３０２に通された座金７３は平面部６１（或いは平面部６５１）上に載置されており、座金７３より突き出したボルト部３０２にナット７２を螺合している。以上のようにして、接続金具２９を用いることでも、構造物の屋上面１００である折板屋根１９０に二層構造の網部５を設けることが可能になる。
【０１９９】
なお、本例では、接続金具２、２９に取り付けられた凸部としてナット７１等と螺合するボルト部２３、２４、２６、２７、３０２を用いているが、凸部は雄ねじ部が設けられたボルト部２３、２４、２６、２７、３０２に限定されることなく、雄ねじ部が設けられていない単なる棒状部材であっても可能である。その場合には、凸部に通された下網部５１、長尺材３等の配置を可能にするためにナット状の雌ねじ部が設けられていない部材（例えば、固定部材）を凸部の先端側に嵌合させることで下網部５１、長尺材３等の配置を行うことになる。
【符号の説明】
【０２００】
１…植栽基盤、１１…上面部、１２…植栽ポット、１３…底面部、１４…側面部
２…接続金具、２０…略立方体状の箱体、２１…下面部、２２…上面部、２１２、２１３、２３、２４、２６、２７…ボルト部（凸部）、２１１…本体部、２２１…蓋部、２３１…頭部、２１４、２３２…ナット、２３３…座金、２１５…孔部、２１６…座金、２１７…壁面
２９…接続金具、２９１…金具片、２９２…脚部、２９３…膨出部、２９４…絞り部、２９５…中空部、２９６…締結部、２９７…孔部、２９８…ボルト、２９９…ナット、３００…張出部、３０１…孔部、３０２…ボルト部（凸部）、３０３…ナット
３…長尺材、３１…側方端、３２…突出部、３２ａ…先端、３３…孔部、３４…底面部、３５…角部
４…第一押え材、４１、４４…平面部、４２…折曲部、４３…伸長部、４５…孔部
５…二層構造の網部、５１…下網部（第一網部）、５１ａ…下網部の縁部、５２…上網部（第二網部）、５２１…小型の上網部、５２ａ…上網部の縁部、５２２…隙間、５２３…空間
５３…掃除用網、５３１…一方の端部、５３２…他方の端部、５３３、５３４、５３５、５３６…固定位置
５４…縦糸、５５…横糸、５６…引戻し紐
６…第二押え材、６１、６３…平面部、６２…伸長部、６４…孔部
６５…第四押え材（第二押え材）、６５１、６５３…平面部、６５２…伸長部、６５４…孔部
７１、７２…ナット、７３…座金、
７４…スペーサー、７４１…中心孔、７４２、７４３…端面
７５…スペーサー用平板、７５１…孔部
８…第三押え材、８１…平面部、８２…折曲部、８３…底面部、８４…突出部、８５…孔部
８６…第一通路材、８６１…側方端、８６２…突出部、８６２ａ…先端、８６３…孔部、８６４…底面部
８７…第二通路材、８７１…側方端、８６２…突出部、８６３…孔部、８６４…底面部
９…灌水パイプ
１００…構造物の屋上面、１００ａ…構造物の縁部（壁部）
１９０…折板屋根、１９１…山部、１９２…頂面、１９３…ハゼ部、１９４…脚部
【図１】
2011000094.tif 000003
【図２】
2011000094.tif 000004
【図３】
2011000094.tif 000005
【図４】
2011000094.tif 000006
【図５】
2011000094.tif 000007
【図６】
2011000094.tif 000008
【図７】
2011000094.tif 000009
【図８】
2011000094.tif 000010
【図９】
2011000094.tif 000011
【図１０】
2011000094.tif 000012
【図１１】
2011000094.tif 000013
【図１２】
2011000094.tif 000014
【図１３】
2011000094.tif 000015
【図１４】
2011000094.tif 000016
【図１５】
2011000094.tif 000017
【図１６】
2011000094.tif 000018
【図１７】
2011000094.tif 000019
【図１８】
2011000094.tif 000020
【図１９】
2011000094.tif 000021
【図２０】
2011000094.tif 000022
【図２１】
2011000094.tif 000023
【図２２】
2011000094.tif 000024
【図２３】
2011000094.tif 000025
【図２４】
2011000094.tif 000026
【図２５】
2011000094.tif 000027
【図２６】
2011000094.tif 000028
【図２７】
2011000094.tif 000029
【図２８】
2011000094.tif 000030
【図２９】
2011000094.tif 000031
【図３０】
2011000094.tif 000032
【図３１】
2011000094.tif 000033
【図３２】
2011000094.tif 000034
【図３３】
2011000094.tif 000035
【図３４】
2011000094.tif 000036
【図３５】
2011000094.tif 000037
【図３６】
2011000094.tif 000038
【図３７】
2011000094.tif 000039
【図３８】
2011000094.tif 000040
【図３９】
2011000094.tif 000041